(57)【特許請求の範囲】
【請求項１】
要求情報、ワイヤレスローカルエリアネットワークアクセスポイントＷＬＡＮ ＡＰの識別子、および基地局の第１のＩＰアドレスを前記基地局によってユーザ機器に送るステップであって、前記要求情報が、前記ＷＬＡＮ ＡＰを使用することによって前記基地局へのマルチストリームアグリゲーションデータ伝送を実行することを前記ユーザ機器に要求するために使用され、前記マルチストリームアグリゲーションデータ伝送では、前記基地局と前記ユーザ機器との間のデータ伝送は前記ＷＬＡＮ ＡＰと前記ユーザ機器との間のデータ伝送と統合され、前記基地局は、データの分割ポイントおよびコンバージェンスポイントとして使用される、ステップと、
前記ユーザ機器によって送られた、前記ＷＬＡＮ ＡＰによって前記ユーザ機器に割り当てられた第２のＩＰアドレスおよび確認情報を前記基地局によって受信するステップであって、前記確認情報は、前記ユーザ機器が前記ＷＬＡＮ ＡＰを使用することによって前記基地局へのマルチストリームアグリゲーションデータ伝送を実行することを確認するために使用される、ステップと、
前記ＷＬＡＮ ＡＰを使用することによって、およびＩＰトンネルを通して、前記ユーザ機器へのマルチストリームアグリゲーションデータ伝送を前記基地局によって実行するステップであって、前記ＩＰトンネルが、前記第１のＩＰアドレスおよび前記第２のＩＰアドレスを使用することによって決定される、ステップと
を含むことを特徴とするデータ伝送方法。
【請求項２】
前記基地局が基地局プロトコルスタックを有し、前記ＷＬＡＮ ＡＰを使用することによって、および前記ＩＰトンネルを通して、前記ユーザ機器へのマルチストリームアグリゲーションデータ伝送を前記基地局によって実行する前記ステップが、
前記基地局プロトコルスタック内のアグリゲーション層で生成された第１のプロトコルデータユニットにＩＰヘッダを前記基地局によって追加し、前記ＷＬＡＮ ＡＰを使用することによって、および前記ＩＰトンネルを通して、前記追加されたＩＰヘッダを有する前記第１のプロトコルデータユニットを前記ユーザ機器に送るステップ、または
前記ＷＬＡＮ ＡＰを使用することによって、および前記ＩＰトンネルを通して、前記ユーザ機器によって送られた第２のプロトコルデータユニットを前記基地局によって受信し、前記第２のプロトコルデータユニットのＩＰヘッダを削除し、ＩＰヘッダが削除された前記第２のプロトコルデータユニットを処理するように前記基地局プロトコルスタック内のアグリゲーション層に命令するステップであって、前記ＩＰヘッダが、ユーザ機器プロトコルスタック内のアグリゲーション層で生成された前記第２のプロトコルデータユニットに前記ユーザ機器によって追加される、ステップ
を含むことを特徴とする請求項１に記載の方法。
【請求項３】
前記基地局プロトコルスタック内のアグリゲーション層で生成された第１のプロトコルデータユニットにＩＰヘッダを前記基地局によって追加し、前記ＷＬＡＮ ＡＰを使用することによって、および前記ＩＰトンネルを通して、前記追加されたＩＰヘッダを有する前記第１のプロトコルデータユニットを前記ユーザ機器に送る前記ステップが、
前記基地局プロトコルスタック内の前記アグリゲーション層で生成された前記第１のプロトコルデータユニットに前記ＩＰヘッダを前記基地局によって追加し、前記ＷＬＡＮ ＡＰを使用することによって、および前記ＩＰトンネルを通して、前記追加されたＩＰヘッダを有する前記第１のプロトコルデータユニットを前記ユーザ機器に送るステップであって、前記ＩＰヘッダが、前記第１のプロトコルデータユニットに対応しロケーション情報に従って前記基地局によって追加された無線ベアラ情報を備え、前記無線ベアラ情報が、ＩＰヘッダが削除された前記第１のプロトコルデータユニットを処理するように、前記無線ベアラ情報とマッピング関係にあって前記ユーザ機器プロトコルスタック内にあるアグリゲーション層エンティティに命令するために前記ユーザ機器によって使用される、ステップを含み、または
前記ＷＬＡＮ ＡＰを使用することによって、および前記ＩＰトンネルを通して、前記ユーザ機器によって送られた第２のプロトコルデータユニットを前記基地局によって受信し、前記第２のプロトコルデータユニットのＩＰヘッダを削除し、ＩＰヘッダが削除された前記第２のプロトコルデータユニットを処理するように前記基地局プロトコルスタック内のアグリゲーション層に命令する前記ステップが、
前記ＷＬＡＮ ＡＰを使用することによって、および前記ＩＰトンネルを通して、前記ユーザ機器によって送られた前記第２のプロトコルデータユニットを前記基地局によって受信し、ロケーション情報に従って前記第２のプロトコルデータユニットの前記ＩＰヘッダから、前記第２のプロトコルデータユニットに対応する無線ベアラ情報を取得し、前記第２のプロトコルデータユニットの前記ＩＰヘッダを削除し、ＩＰヘッダが削除された前記第２のプロトコルデータユニットを処理するように、前記無線ベアラ情報とマッピング関係にあって前記基地局プロトコルスタック内にあるアグリゲーション層エンティティに命令するステップを含むことを特徴とする請求項２に記載の方法。
【請求項４】
前記ロケーション情報が、前記基地局によって前記ユーザ機器に送られる、または通信プロトコルに従って前記基地局および前記ユーザ機器によって一致させられ、
前記ロケーション情報が、前記ＩＰヘッダ内の前記無線ベアラ情報のロケーションを示すために使用されることを特徴とする請求項３に記載の方法。
【請求項５】
前記無線ベアラ情報が、無線ベアラ識別子または論理チャネル識別子を備えることを特徴とする請求項３または４に記載の方法。
【請求項６】
前記ＩＰヘッダが、前記論理チャネル識別子に対応する論理チャネルの優先情報、または前記無線ベアラ識別子に対応する無線ベアラの優先情報をさらに備えることを特徴とする請求項５に記載の方法。
【請求項７】
前記追加されたＩＰヘッダを有する前記第１のプロトコルデータユニットに対する完全性保護を前記基地局によって実行するステップをさらに含むことを特徴とする請求項２乃至６のいずれか一項に記載の方法。
【請求項８】
基地局によって送られた、要求情報、ワイヤレスローカルエリアネットワークアクセスポイントＷＬＡＮ ＡＰの識別子、および前記基地局の第１のＩＰアドレスをユーザ機器によって受信するステップであって、前記要求情報が、前記ＷＬＡＮ ＡＰを使用することによって前記基地局へのマルチストリームアグリゲーションデータ伝送を実行することを前記ユーザ機器に要求するために使用され、前記マルチストリームアグリゲーションデータ伝送では、前記基地局と前記ユーザ機器との間のデータ伝送は前記ＷＬＡＮ ＡＰと前記ユーザ機器との間のデータ伝送と統合され、前記基地局は、データの分割ポイントおよびコンバージェンスポイントとして使用される、ステップと、
前記ＷＬＡＮ ＡＰによって前記ユーザ機器に割り当てられた第２のＩＰアドレスおよび確認情報を前記ユーザ機器によって前記基地局に送るステップであって、前記確認情報は、前記ユーザ機器が、前記ＷＬＡＮ ＡＰを使用することによって前記基地局へのマルチストリームアグリゲーションデータ伝送を実行することを確認するために使用される、ステップと、
前記ＷＬＡＮ ＡＰを使用することによって、およびＩＰトンネルを通して、前記基地局へのマルチストリームアグリゲーションデータ伝送を前記ユーザ機器によって実行するステップであって、前記ＩＰトンネルが、前記第１のＩＰアドレスおよび前記第２のＩＰアドレスを使用することによって決定される、ステップと
を含むことを特徴とするデータ伝送方法。
【請求項９】
前記ユーザ機器がユーザ機器プロトコルスタックを有し、前記ＷＬＡＮ ＡＰを使用することによって、およびＩＰトンネルを通して、前記基地局へのマルチストリームアグリゲーションデータ伝送を前記ユーザ機器によって実行する前記ステップが、
前記ＷＬＡＮ ＡＰを使用することによって、および前記ＩＰトンネルを通して、前記基地局によって送られた第１のプロトコルデータユニットを前記ユーザ機器によって受信し、前記第１のプロトコルデータユニットのＩＰヘッダを削除し、ＩＰヘッダが削除された前記第１のプロトコルデータユニットを処理するように前記ユーザ機器プロトコルスタック内のアグリゲーション層に命令するステップであって、前記ＩＰヘッダが、基地局プロトコルスタック内のアグリゲーション層で生成された前記第１のプロトコルデータユニットに前記基地局によって追加される、ステップ、または
前記ユーザ機器プロトコルスタック内のアグリゲーション層で生成された第２のプロトコルデータユニットにＩＰヘッダを前記ユーザ機器によって追加し、前記ＷＬＡＮ ＡＰを使用することによって、および前記ＩＰトンネルを通して、前記追加されたＩＰヘッダを有する前記第２のプロトコルデータユニットを前記基地局に送るステップを含むことを特徴とする請求項８に記載の方法。
【請求項１０】
前記ＷＬＡＮ ＡＰを使用することによって、および前記ＩＰトンネルを通して、前記基地局によって送られた第１のプロトコルデータユニットを前記ユーザ機器によって受信し、前記第１のプロトコルデータユニットのＩＰヘッダを削除し、ＩＰヘッダが削除された前記第１のプロトコルデータユニットを処理するように前記ユーザ機器プロトコルスタック内のアグリゲーション層に命令する前記ステップが、
前記ＷＬＡＮ ＡＰを使用することによって、および前記ＩＰトンネルを通して、前記基地局によって送られた前記第１のプロトコルデータユニットを前記ユーザ機器によって受信し、ロケーション情報に従って前記第１のプロトコルデータユニットの前記ＩＰヘッダから、前記第１のプロトコルデータユニットに対応する無線ベアラ情報を取得し、前記第１のプロトコルデータユニットの前記ＩＰヘッダを削除し、ＩＰヘッダが削除された前記第１のプロトコルデータユニットを処理するように、前記無線ベアラ情報とマッピング関係にあって前記ユーザ機器プロトコルスタック内にあるアグリゲーション層エンティティに命令するステップを含み、または
前記ユーザ機器プロトコルスタック内のアグリゲーション層で生成された第２のプロトコルデータユニットにＩＰヘッダを前記ユーザ機器によって追加し、前記ＷＬＡＮ ＡＰを使用することによって、および前記ＩＰトンネルを通して、前記追加されたＩＰヘッダを有する前記第２のプロトコルデータユニットを前記基地局に送る前記ステップが、
前記ユーザ機器プロトコルスタック内の前記アグリゲーション層で生成された前記第２のプロトコルデータユニットに前記ＩＰヘッダを前記ユーザ機器によって追加し、前記ＷＬＡＮ ＡＰを使用することによって、および前記ＩＰトンネルを通して、前記追加されたＩＰヘッダを有する前記第２のプロトコルデータユニットを前記基地局に送るステップであって、前記ＩＰヘッダが、前記第２のプロトコルデータユニットに対応しロケーション情報に従って前記ユーザ機器によって追加された無線ベアラ情報を備え、前記無線ベアラ情報が、ＩＰヘッダが削除された前記第２のプロトコルデータユニットを処理するように、前記無線ベアラ情報とマッピング関係にあって前記基地局プロトコルスタック内にあるアグリゲーション層エンティティに命令するために前記基地局によって使用される、ステップを含むことを特徴とする請求項９に記載の方法。
【請求項１１】
前記ロケーション情報が、前記基地局によって前記ユーザ機器に送られる、または通信プロトコルに従って前記基地局および前記ユーザ機器によって一致させられ、
前記ロケーション情報が、前記ＩＰヘッダ内の前記無線ベアラ情報のロケーションを示すために使用されることを特徴とする請求項１０に記載の方法。
【請求項１２】
前記無線ベアラ情報が、無線ベアラ識別子または論理チャネル識別子を備えることを特徴とする請求項１０または１１に記載の方法。
【請求項１３】
前記ＩＰヘッダが、前記論理チャネル識別子に対応する論理チャネルの優先情報、または前記無線ベアラ識別子に対応する無線ベアラの優先情報をさらに備えることを特徴とする請求項１２に記載の方法。
【請求項１４】
前記追加されたＩＰヘッダを有する前記第２のプロトコルデータユニットに対する完全性保護を前記ユーザ機器によって実行するステップをさらに含むことを特徴とする請求項９乃至１３のいずれか一項に記載の方法。
【請求項１５】
要求情報、ワイヤレスローカルエリアネットワークアクセスポイントＷＬＡＮ ＡＰの識別子、および基地局の第１のＩＰアドレスをユーザ機器に送るように構成された送信ユニットであって、前記要求情報が、前記ＷＬＡＮ ＡＰを使用することによって前記基地局へのマルチストリームアグリゲーションデータ伝送を実行することを前記ユーザ機器に要求するために使用され、前記マルチストリームアグリゲーションデータ伝送では、前記基地局と前記ユーザ機器との間のデータ伝送は前記ＷＬＡＮ ＡＰと前記ユーザ機器との間のデータ伝送と統合され、前記基地局は、データの分割ポイントおよびコンバージェンスポイントとして使用される、送信ユニットと、
前記ユーザ機器によって送られた、前記ＷＬＡＮ ＡＰによって前記ユーザ機器に割り当てられた第２のＩＰアドレスおよび確認情報を受信するように構成された受信ユニットであって、前記確認情報は、前記ユーザ機器が前記ＷＬＡＮ ＡＰを使用することによって前記基地局へのマルチストリームアグリゲーションデータ伝送を実行することを確認するために使用される、受信ユニットと、
前記ＷＬＡＮ ＡＰを使用することによって、およびＩＰトンネルを通して、前記ユーザ機器へのマルチストリームアグリゲーションデータ伝送を実行するように構成された処理ユニットであって、前記ＩＰトンネルが、前記第１のＩＰアドレスおよび前記第２のＩＰアドレスを使用することによって決定される、処理ユニットと
を備えることを特徴とする基地局。
【請求項１６】
前記基地局が、基地局プロトコルスタックユニットをさらに備え、
前記処理ユニットが、前記基地局プロトコルスタックユニット内のアグリゲーション層で生成された第１のプロトコルデータユニットにＩＰヘッダを追加するように特に構成され、前記送信ユニットが、前記ＷＬＡＮ ＡＰを使用することによって、および前記ＩＰトンネルを通して、前記追加されたＩＰヘッダを有する前記第１のプロトコルデータユニットを前記ユーザ機器に送るようにさらに構成される、または
前記受信ユニットが、前記ＷＬＡＮ ＡＰを使用することによって、および前記ＩＰトンネルを通して、前記ユーザ機器によって送られた第２のプロトコルデータユニットを受信するようにさらに構成され、前記処理ユニットが、前記第２のプロトコルデータユニットのＩＰヘッダを削除し、ＩＰヘッダが削除された前記第２のプロトコルデータユニットを処理するように前記基地局プロトコルスタックユニット内のアグリゲーション層に命令するように特に構成され、前記ＩＰヘッダが、ユーザ機器プロトコルスタック内のアグリゲーション層で生成された前記第２のプロトコルデータユニットに前記ユーザ機器によって追加されることを特徴とする請求項１５に記載の基地局。
【請求項１７】
前記送信ユニットが、前記ＷＬＡＮ ＡＰを使用することによって、および前記ＩＰトンネルを通して、前記追加されたＩＰヘッダを有する前記第１のプロトコルデータユニットを前記ユーザ機器に送る前に、前記処理ユニットが、前記基地局プロトコルスタックユニット内の前記アグリゲーション層で生成された前記第１のプロトコルデータユニットに前記ＩＰヘッダを追加するように特に構成され、前記ＩＰヘッダが、前記第１のプロトコルデータユニットに対応しロケーション情報に従って前記処理ユニットによって追加された無線ベアラ情報を備え、前記無線ベアラ情報が、ＩＰヘッダが削除された前記第１のプロトコルデータユニットを処理するように、前記無線ベアラ情報とマッピング関係にあって前記ユーザ機器プロトコルスタック内にあるアグリゲーション層エンティティに命令するために前記ユーザ機器によって使用される、または
前記受信ユニットが、前記ＷＬＡＮ ＡＰを使用することによって、および前記ＩＰトンネルを通して、前記ユーザ機器によって送られた前記第２のプロトコルデータユニットを受信した後に、前記処理ユニットが、ロケーション情報に従って前記第２のプロトコルデータユニットの前記ＩＰヘッダから、前記第２のプロトコルデータユニットに対応する無線ベアラ情報を取得し、前記第２のプロトコルデータユニットの前記ＩＰヘッダを削除し、ＩＰヘッダが削除された前記第２のプロトコルデータユニットを処理するように、前記無線ベアラ情報とマッピング関係にあって前記基地局プロトコルスタックユニット内にあるアグリゲーション層エンティティに命令するように特に構成されることを特徴とする請求項１６に記載の基地局。
【請求項１８】
前記ロケーション情報が、前記ＩＰヘッダ内の前記無線ベアラ情報のロケーションを示すために使用され、
前記送信ユニットが、前記ユーザ機器に前記ロケーション情報を送るようにさらに構成される、または
前記処理ユニットが、通信プロトコルに従って前記ロケーション情報について前記ユーザ機器と一致するようにさらに構成されることを特徴とする請求項１７に記載の基地局。
【請求項１９】
前記無線ベアラ情報が、無線ベアラ識別子または論理チャネル識別子を備えることを特徴とする請求項１７または１８に記載の基地局。
【請求項２０】
前記ＩＰヘッダが、前記論理チャネル識別子に対応する論理チャネルの優先情報、または前記無線ベアラ識別子に対応する無線ベアラの優先情報をさらに備えることを特徴とする請求項１９に記載の基地局。
【請求項２１】
前記処理ユニットが、前記追加されたＩＰヘッダを有する前記第１のプロトコルデータユニットに対する完全性保護を実行するようにさらに構成されることを特徴とする請求項１６乃至２０のいずれか一項に記載の基地局。
【請求項２２】
基地局によって送られた、要求情報、ワイヤレスローカルエリアネットワークアクセスポイントＷＬＡＮ ＡＰの識別子、および前記基地局の第１のＩＰアドレスを受信するように構成された受信ユニットであって、前記要求情報が、前記ＷＬＡＮ ＡＰを使用することによって前記基地局へのマルチストリームアグリゲーションデータ伝送を実行することを前記ユーザ機器に要求するために使用され、前記マルチストリームアグリゲーションデータ伝送では、前記基地局と前記ユーザ機器との間のデータ伝送は前記ＷＬＡＮ ＡＰと前記ユーザ機器との間のデータ伝送と統合され、前記基地局は、データの分割ポイントおよびコンバージェンスポイントとして使用される、受信ユニットと、
前記ＷＬＡＮ ＡＰによって前記ユーザ機器に割り当てられた第２のＩＰアドレスおよび確認情報を前記基地局に送るように構成された送信ユニットであって、前記確認情報は、前記ユーザ機器が前記ＷＬＡＮ ＡＰを使用することによって前記基地局へのマルチストリームアグリゲーションデータ伝送を実行することを確認するために使用される、送信ユニットと、
前記ＷＬＡＮ ＡＰを使用することによって、およびＩＰトンネルを通して、前記基地局へのマルチストリームアグリゲーションデータ伝送を実行するように構成された処理ユニットであって、前記ＩＰトンネルが、前記第１のＩＰアドレスおよび前記第２のＩＰアドレスを使用することによって決定される、処理ユニットと
を備えることを特徴とするユーザ機器。
【請求項２３】
前記ユーザ機器が、ユーザ機器プロトコルスタックユニットをさらに備え、
前記受信ユニットが、前記ＷＬＡＮ ＡＰを使用することによって、および前記ＩＰトンネルを通して、前記基地局によって送られた第１のプロトコルデータユニットを受信するようにさらに構成され、前記処理ユニットが、前記第１のプロトコルデータユニットのＩＰヘッダを削除し、ＩＰヘッダが削除された前記第１のプロトコルデータユニットを処理するように前記ユーザ機器プロトコルスタックユニット内のアグリゲーション層に命令し、前記ＩＰヘッダが、基地局プロトコルスタック内のアグリゲーション層で生成された前記第１のプロトコルデータユニットに前記基地局によって追加されるように特に構成され、または
前記処理ユニットが、前記ユーザ機器プロトコルスタックユニット内のアグリゲーション層で生成された第２のプロトコルデータユニットにＩＰヘッダを追加するように特に構成され、前記送信ユニットが、前記ＷＬＡＮ ＡＰを使用することによって、および前記ＩＰトンネルを通して、前記追加されたＩＰヘッダを有する前記第２のプロトコルデータユニットを前記基地局に送るようにさらに構成されることを特徴とする請求項２２に記載のユーザ機器。
【請求項２４】
前記受信ユニットが、前記ＷＬＡＮ ＡＰを使用することによって、および前記ＩＰトンネルを通して、前記基地局によって送られた前記第１のプロトコルデータユニットを受信した後に、前記処理ユニットが、
ロケーション情報に従って前記第１のプロトコルデータユニットの前記ＩＰヘッダから、前記第１のプロトコルデータユニットに対応する無線ベアラ情報を取得し、前記第１のプロトコルデータユニットの前記ＩＰヘッダを削除し、ＩＰヘッダが削除された前記第１のプロトコルデータユニットを処理するように、前記無線ベアラ情報とマッピング関係にあって前記ユーザ機器プロトコルスタックユニット内にあるアグリゲーション層エンティティに命令するように特に構成される、または
前記送信ユニットが、前記ＷＬＡＮ ＡＰを使用することによって、および前記ＩＰトンネルを通して、前記追加されたＩＰヘッダを有する前記第２のプロトコルデータユニットを前記基地局に送る前に、前記処理ユニットが、
前記ユーザ機器プロトコルスタックユニット内の前記アグリゲーション層で生成された前記第２のプロトコルデータユニットに前記ＩＰヘッダを追加し、前記ＩＰヘッダが、前記第２のプロトコルデータユニットに対応しロケーション情報に従って前記ユーザ機器によって追加された無線ベアラ情報を備え、前記無線ベアラ情報が、ＩＰヘッダが削除された前記第２のプロトコルデータユニットを処理するように、前記無線ベアラ情報とマッピング関係にあって前記基地局プロトコルスタック内にあるアグリゲーション層エンティティに命令するために前記基地局によって使用されるように特に構成されることを特徴とする請求項２３に記載のユーザ機器。
【請求項２５】
前記ロケーション情報が、前記ＩＰヘッダ内の前記無線ベアラ情報のロケーションを示すために使用され、
前記受信ユニットが、前記基地局によって送られた前記ロケーション情報を受信するようにさらに構成される、または
前記処理ユニットが、通信プロトコルに従って前記ロケーション情報について前記基地局と一致するようにさらに構成されることを特徴とする請求項２４に記載のユーザ機器。
【請求項２６】
前記無線ベアラ情報が、無線ベアラ識別子または論理チャネル識別子を備えることを特徴とする請求項２４または２５に記載のユーザ機器。
【請求項２７】
前記ＩＰヘッダが、前記論理チャネル識別子に対応する論理チャネルの優先情報、または前記無線ベアラ識別子に対応する無線ベアラの優先情報をさらに備えることを特徴とする請求項２６に記載のユーザ機器。
【請求項２８】
前記処理ユニットが、前記追加されたＩＰヘッダを有する前記第２のプロトコルデータユニットに対する完全性保護を実行するようにさらに構成されることを特徴とする請求項２３乃至２７のいずれか一項に記載のユーザ機器。
【発明の詳細な説明】
【技術分野】
【０００１】
本発明の実施形態は、通信技術に関し、より詳細には、データ伝送方法およびデバイスに関する。
【背景技術】
【０００２】
スマートフォンの急速な発展とともに、ワイヤレスローカルエリアネットワーク（Ｗｉｒｅｌｅｓｓ  Ｌｏｃａｌ  Ａｒｅａ  Ｎｅｔｗｏｒｋ、略してＷＬＡＮ）内の通信モジュールは、より多くのモバイル通信端末に統合されている。一方、モバイルブロードバンドに対する人々の要求が連続的に増すにつれて、既存の（たとえば、ワイヤレスセルラー）通信システムは、より大きなデータトラフィックの圧力をかけられている。
【０００３】
ワイヤレスセルラーネットワークは、広いカバレッジおよび高速モビリティのサポートなどの利点を有するが、低いデータ転送速度、高価格、および大きな送信電力などの欠点も有し、高速移動および屋外の広範囲アクティビティなどのシナリオに比較的適している。しかしながら、ＷＬＡＮは、高データ速度、コスト効果、および小さい送信電力などの利点を有するが、小さいカバレッジなどの欠点も有し、比較的静的なシナリオおよび屋内の小範囲アクティビティなどのシナリオに比較的適している。セルラーネットワークの利点および欠点、ならびにワイヤレスローカルエリアネットワークの利点および欠点ワイヤレスを考慮すると、実現可能な方法は、ユーザ体験を改善し、高効率でコスト効果のよい通信を実施するように、ワイヤレスセルラー技術をＷＬＡＮ技術と統合し、ＷＬＡＮを使用することによってワイヤレスセルラー通信システムのデータトラフィックをオフロードすることである。
【０００４】
現在、１つの通信技術が知られている。すなわち、ユーザ機器（Ｕｓｅｒ  Ｅｑｕｉｐｍｅｎｔ、略してＵＥ）が、基地局を使用することによって進化型パケットコア（Ｅｖｏｌｖｅｄ  Ｐａｃｋｅｔ  Ｃｏｒｅ、略してＥＰＣ）にアクセスし、パケットデータネットワークゲートウェイ（Ｐａｃｋｅｔ  Ｄａｔａ  Ｎｅｔｗｏｒｋ−Ｇａｔｅｗａｙ、ＰＤＮ−ＧＷ）を使用することによってパケットデータネットワーク（Ｐａｃｋｅｔ  Ｄａｔａ  Ｎｅｔｗｏｒｋ、ＰＤＮ）接続を確立する。次いで、ＵＥは、たとえば、信頼されるワイヤレスローカルエリアネットワークアクセスネットワーク（Ｔｒｕｓｔｅｄ  Ｗｉｒｅｌｅｓｓ  Ｌｏｃａｌ  Ａｒｅａ  Ｎｅｔｗｏｒｋｓ  Ａｃｃｅｓｓ  Ｎｅｔｗｏｒｋ、略してＴＷＡＮ）を使用することによってＥＰＣにアクセスし得、ＴＷＡＮは、ワイヤレスセルラー技術とＷＬＡＮ技術の統合を実施するように、ＰＤＮ接続を確立するためにＰＤＮ−ＧＷを選択し得る。
【０００５】
しかしながら、技術は、ユーザ体験に大きく影響を与えるサービス継続性を保証することはできない。
【発明の概要】
【課題を解決するための手段】
【０００６】
本発明の実施形態は、サービス継続性を保証し、ユーザ体験を改善し、ならびにオフローディングを実施するように、データ伝送方法およびデバイスを提供する。
【０００７】
第１の態様によれば、本発明の実施形態は、
要求情報、ワイヤレスローカルエリアネットワークアクセスポイントＷＬＡＮ ＡＰの識別子、および基地局の第１のＩＰアドレスを基地局によってユーザ機器に送ることであって、要求情報は、ＷＬＡＮ ＡＰを使用することによって基地局へのマルチストリームアグリゲーションデータ伝送を実行することをユーザ機器に要求するために使用される、送ることと、
ユーザ機器によって送られた、ＷＬＡＮ ＡＰによって前記ユーザ機器に割り当てられた第２のＩＰアドレスおよび確認情報を基地局によって受信することであって、確認情報は、ユーザ機器がＷＬＡＮ ＡＰを使用することによって基地局へのマルチストリームアグリゲーションデータ伝送を実行することを確認するために使用される、受信することと、
ＷＬＡＮ ＡＰを使用することによって、およびＩＰトンネルを通して、ユーザ機器へのマルチストリームアグリゲーションデータ伝送を基地局によって実行することであって、ＩＰトンネルは、第１のＩＰアドレスおよび第２のＩＰアドレスを使用することによって決定される、実行することと
を含むデータ伝送方法を提供する。
【０００８】
第１の態様を参照して、第１の態様の第１の可能な実装様式では、基地局は基地局プロトコルスタックを有し、ＷＬＡＮ ＡＰを使用することによって、およびＩＰトンネルを通して、ユーザ機器へのマルチストリームアグリゲーションデータ伝送を基地局によって実行することは、
基地局プロトコルスタック内のアグリゲーション層で生成された第１のプロトコルデータユニットにＩＰヘッダを基地局によって追加し、ＷＬＡＮ ＡＰを使用することによって、およびＩＰトンネルを通して、追加されたＩＰヘッダを有する第１のプロトコルデータユニットをユーザ機器に送ること、または
ＷＬＡＮ ＡＰを使用することによって、およびＩＰトンネルを通して、ユーザ機器によって送られた第２のプロトコルデータユニットを基地局によって受信し、第２のプロトコルデータユニットのＩＰヘッダを削除し、ＩＰヘッダが削除された第２のプロトコルデータユニットを処理するように基地局プロトコルスタック内のアグリゲーション層に命令することであって、ＩＰヘッダは、ユーザ機器プロトコルスタック内のアグリゲーション層で生成された第２のプロトコルデータユニットに前記ユーザ機器によって追加される、命令することとを含む。
【０００９】
第１の態様の第１の可能な実装様式を参照して、第１の態様の第２の可能な実装様式では、
基地局プロトコルスタック内のアグリゲーション層で生成された第１のプロトコルデータユニットにＩＰヘッダを基地局によって追加し、ＷＬＡＮ ＡＰを使用することによって、およびＩＰトンネルを通して、追加されたＩＰヘッダを有する第１のプロトコルデータユニットを前記ユーザ機器に送ることが、
基地局プロトコルスタック内のアグリゲーション層で生成された第１のプロトコルデータユニットにＩＰヘッダを基地局によって追加し、ＷＬＡＮ ＡＰを使用することによって、およびＩＰトンネルを通して、追加されたＩＰヘッダを有する第１のプロトコルデータユニットをユーザ機器に送ることであって、ＩＰヘッダは、第１のプロトコルデータユニットに対応しロケーション情報に従って基地局によって追加された無線ベアラ情報を備え、この無線ベアラ情報は、ＩＰヘッダが削除された第１のプロトコルデータユニットを処理するように、無線ベアラ情報とマッピング関係にあってユーザ機器プロトコルスタック内にあるアグリゲーション層エンティティに命令するためにユーザ機器によって使用される、送ることを含み、または
ＷＬＡＮ ＡＰを使用することによって、およびＩＰトンネルを通して、ユーザ機器によって送られた第２のプロトコルデータユニットを基地局によって受信し、第２のプロトコルデータユニットのＩＰヘッダを削除し、ＩＰヘッダが削除された第２のプロトコルデータユニットを処理するように基地局プロトコルスタック内のアグリゲーション層に命令することが、
ＷＬＡＮ ＡＰを使用することによって、およびＩＰトンネルを通して、ユーザ機器によって送られた第２のプロトコルデータユニットを基地局によって受信し、ロケーション情報に従って第２のプロトコルデータユニットのＩＰヘッダから、第２のプロトコルデータユニットに対応する無線ベアラ情報を取得し、第２のプロトコルデータユニットのＩＰヘッダを削除し、ＩＰヘッダが削除された第２のプロトコルデータユニットを処理するように、無線ベアラ情報とマッピング関係にあって基地局プロトコルスタック内にあるアグリゲーション層エンティティに命令することを含む。
【００１０】
第１の態様の第２の可能な実装様式を参照して、第１の態様の第３の可能な実装様式では、ロケーション情報は、基地局によってユーザ機器に送られる、または通信プロトコルに従って基地局およびユーザ機器によって一致させられ、
ロケーション情報は、ＩＰヘッダ内の無線ベアラ情報のロケーションを示すために使用される。
【００１１】
第１の態様の第２の可能な実装様式または第３の可能な実装様式を参照して、第１の態様の第４の可能な実装様式では、無線ベアラ情報は、無線ベアラ識別子または論理チャネル識別子を含む。
【００１２】
第１の態様の第４の可能な実装様式を参照して、第１の態様の第５の可能な実装様式では、ＩＰヘッダは、論理チャネル識別子に対応する論理チャネルの優先情報、または無線ベアラ識別子に対応する無線ベアラの優先情報をさらに含む。
【００１３】
第１の態様の第２から第５の可能な実装様式のいずれか１つを参照して、第１の態様の第６の可能な実装様式では、基地局プロトコルスタック内のアグリゲーション層は、
ワイヤレスセルラーネットワークを使用することによってユーザ機器に基地局によって送信されるプロトコルデータユニットから第１のプロトコルデータユニットを分割する、または
ＩＰヘッダが削除された第２のプロトコルデータユニットと、ワイヤレスセルラーネットワークを使用することによって基地局にユーザ機器によって送信されたプロトコルデータユニットとを収束させる
ために使用される。
【００１４】
第１の態様の第２から第６の可能な実装様式のいずれか１つを参照して、第１の態様の第７の可能な実装様式では、アグリゲーション層は、パケットデータコンバージェンスプロトコルＰＤＣＰ層、メディアアクセス制御ＭＡＣ層、無線リンク制御ＲＬＣ層、およびＩＰ層のうちのいずれか１つを含む。
【００１５】
第１の態様の第２から第７の可能な実装様式のいずれか１つを参照して、第１の態様の第８の可能な実装様式では、第１のプロトコルデータユニットのＩＰヘッダは、送信元ＩＰアドレスと、宛先ＩＰアドレスとをさらに含み、送信元ＩＰアドレスは第１のＩＰアドレスであり、宛先ＩＰアドレスは第２のＩＰアドレスである、または
第２のプロトコルデータユニットのＩＰヘッダは、送信元ＩＰアドレスと、宛先ＩＰアドレスとをさらに含み、送信元ＩＰアドレスは第２のＩＰアドレスであり、宛先ＩＰアドレスは第１のＩＰアドレスである。
【００１６】
第１の態様の第１から第８の可能な実装様式のいずれか１つを参照して、第１の態様の第９の可能な実装様式では、方法は、
追加されたＩＰヘッダを有する第１のプロトコルデータユニットに対する完全性保護を基地局によって実行することをさらに含む。
【００１７】
第２の態様によれば、本発明の実施形態は、
基地局によって送られた、要求情報、ワイヤレスローカルエリアネットワークアクセスポイントＷＬＡＮ ＡＰの識別子、および基地局の第１のＩＰアドレスをユーザ機器によって受信することであって、要求情報は、ＷＬＡＮ ＡＰを使用することによって基地局へのマルチストリームアグリゲーションデータ伝送を実行することをユーザ機器に要求するために使用される、受信することと、
ＷＬＡＮ ＡＰによってユーザ機器に割り当てられた第２のＩＰアドレスおよび確認情報をユーザ機器によって基地局に送ることであって、確認情報は、ユーザ機器がＷＬＡＮ ＡＰを使用することによって基地局へのマルチストリームアグリゲーションデータ伝送を実行することを確認するために使用される、送ることと、
ＷＬＡＮ ＡＰを使用することによって、およびＩＰトンネルを通して、基地局へのマルチストリームアグリゲーションデータ伝送をユーザ機器によって実行することであって、ＩＰトンネルは、第１のＩＰアドレスおよび第２のＩＰアドレスを使用することによって決定される、実行することと
を含むデータ伝送方法を提供する。
【００１８】
第２の態様を参照して、第２の態様の第１の可能な実装様式では、ユーザ機器はユーザ機器プロトコルスタックを有し、ＷＬＡＮ ＡＰを使用することによって、およびＩＰトンネルを通して、基地局へのマルチストリームアグリゲーションデータ伝送をユーザ機器によって実行することは、
ＷＬＡＮ ＡＰを使用することによって、およびＩＰトンネルを通して、基地局によって送られた第１のプロトコルデータユニットをユーザ機器によって受信し、第１のプロトコルデータユニットのＩＰヘッダを削除し、ＩＰヘッダが削除された第１のプロトコルデータユニットを処理するように、ユーザ機器プロトコルスタック内のアグリゲーション層に命令することであって、ＩＰヘッダは、基地局プロトコルスタック内のアグリゲーション層で生成された第１のプロトコルデータユニットに基地局によって追加される、命令すること、または
ユーザ機器プロトコルスタック内のアグリゲーション層で生成された第２のプロトコルデータユニットにＩＰヘッダをユーザ機器によって追加し、ＷＬＡＮ ＡＰを使用することによって、およびＩＰトンネルを通して、追加されたＩＰヘッダを有する第２のプロトコルデータユニットを基地局に送ること
を含む。
【００１９】
第２の態様の第１の可能な実装様式を参照して、第２の態様の第２の可能な実装様式では、ＷＬＡＮ ＡＰを使用することによって、およびＩＰトンネルを通して、基地局によって送られた第１のプロトコルデータユニットをユーザ機器によって受信し、第１のプロトコルデータユニットのＩＰヘッダを削除し、ＩＰヘッダが削除された第１のプロトコルデータユニットを処理するように、ユーザ機器プロトコルスタック内のアグリゲーション層に命令することは、
ＷＬＡＮ ＡＰを使用することによって、およびＩＰトンネルを通して、基地局によって送られた第１のプロトコルデータユニットをユーザ機器によって受信し、ロケーション情報に従って第１のプロトコルデータユニットのＩＰヘッダから、第１のプロトコルデータユニットに対応する無線ベアラ情報を取得し、第１のプロトコルデータユニットのＩＰヘッダを削除し、ＩＰヘッダが削除された第１のプロトコルデータユニットを処理するように、無線ベアラ情報とマッピング関係にあって前記ユーザ機器プロトコルスタック内にあるアグリゲーション層エンティティに命令することを含み、または
ユーザ機器プロトコルスタック内のアグリゲーション層で生成された第２のプロトコルデータユニットにＩＰヘッダをユーザ機器によって追加し、ＷＬＡＮ ＡＰを使用することによって、およびＩＰトンネルを通して、追加されたＩＰヘッダを有する第２のプロトコルデータユニットを基地局に送ることは、
ユーザ機器プロトコルスタック内のアグリゲーション層で生成された第２のプロトコルデータユニットにＩＰヘッダをユーザ機器によって追加し、ＷＬＡＮ ＡＰを使用することによって、およびＩＰトンネルを通して、追加されたＩＰヘッダを有する第２のプロトコルデータユニットを基地局に送ることであって、ＩＰヘッダは、第２のプロトコルデータユニットに対応しロケーション情報に従ってユーザ機器によって追加された無線ベアラ情報を含み、この無線ベアラ情報は、ＩＰヘッダが削除された第２のプロトコルデータユニットを処理するように、無線ベアラ情報とマッピング関係にあって基地局プロトコルスタック内にあるアグリゲーション層エンティティに命令するために基地局によって使用される、送ることを含む。
【００２０】
第２の態様の第２の可能な実装様式を参照して、第２の態様の第３の可能な実装様式では、ロケーション情報は、基地局によってユーザ機器に送られる、または通信プロトコルに従って基地局およびユーザ機器によって一致させられ、
ロケーション情報は、ＩＰヘッダ内の無線ベアラ情報のロケーションを示すために使用される。
【００２１】
第２の態様の第２の可能な実装様式または第３の可能な実装様式を参照して、第２の態様の第４の可能な実装様式では、無線ベアラ情報は、無線ベアラ識別子または論理チャネル識別子を含む。
【００２２】
第２の態様の第４の可能な実装様式を参照して、第２の態様の第５の可能な実装様式では、ＩＰヘッダは、論理チャネル識別子に対応する論理チャネルの優先情報、または無線ベアラ識別子に対応する無線ベアラの優先情報をさらに含む。
【００２３】
第２の態様の第２から第５の可能な実装様式のいずれか１つを参照して、第２の態様の第６の可能な実装様式では、ユーザ機器プロトコルスタック内のアグリゲーション層は、
ワイヤレスセルラーネットワークを使用することによって基地局にユーザ機器によって送信されるプロトコルデータユニットから第２のプロトコルデータユニットを分割する、または
ＩＰヘッダが削除された第１のプロトコルデータユニットと、ワイヤレスセルラーネットワークを使用することによってユーザ機器に基地局によって送信されたプロトコルデータユニットとを収束させる
ために使用される。
【００２４】
第２の態様の第２から第６の可能な実装様式のいずれか１つを参照して、第２の態様の第７の可能な実装様式では、アグリゲーション層は、パケットデータコンバージェンスプロトコルＰＤＣＰ層、メディアアクセス制御ＭＡＣ層、無線リンク制御ＲＬＣ層、およびＩＰ層のうちのいずれか１つを含む。
【００２５】
第２の態様の第２から第７の可能な実装様式のいずれか１つを参照して、第２の態様の第８の可能な実装様式では、第１のプロトコルデータユニットのＩＰヘッダは、送信元ＩＰアドレスと、宛先ＩＰアドレスとをさらに含み、送信元ＩＰアドレスは第１のＩＰアドレスであり、宛先ＩＰアドレスは第２のＩＰアドレスである、または
第２のプロトコルデータユニットのＩＰヘッダは、送信元ＩＰアドレスと、宛先ＩＰアドレスとをさらに含み、送信元ＩＰアドレスは第２のＩＰアドレスであり、宛先ＩＰアドレスは第１のＩＰアドレスである。
【００２６】
第２の態様の第１から第８の可能な実装様式のいずれか１つを参照して、第２の態様の第９の可能な実装様式では、方法は、
追加されたＩＰヘッダを有する第２のプロトコルデータユニットに対する完全性保護をユーザ機器によって実行すること
をさらに含む。
【００２７】
第３の態様によれば、本発明の実施形態は、
要求情報、ワイヤレスローカルエリアネットワークアクセスポイントＷＬＡＮ ＡＰの識別子、および基地局の第１のＩＰアドレスをユーザ機器に送るように構成された送信ユニットであって、要求情報は、ＷＬＡＮ ＡＰを使用することによって基地局へのマルチストリームアグリゲーションデータ伝送を実行することをユーザ機器に要求するために使用される、送信ユニットと、
ユーザ機器によって送られた、ＷＬＡＮ ＡＰによってユーザ機器に割り当てられた第２のＩＰアドレスおよび確認情報を受信するように構成された受信ユニットであって、確認情報は、ユーザ機器がＷＬＡＮ ＡＰを使用することによって基地局へのマルチストリームアグリゲーションデータ伝送を実行することを確認するために使用される、受信ユニットと、
ＷＬＡＮ ＡＰを使用することによって、およびＩＰトンネルを通して、ユーザ機器へのマルチストリームアグリゲーションデータ伝送を実行するように構成された処理ユニットであって、ＩＰトンネルは、第１のＩＰアドレスおよび第２のＩＰアドレスを使用することによって決定される、処理ユニットと
を含む基地局を提供する。
【００２８】
第３の態様を参照して、第３の態様の第１の可能な実装様式では、基地局は基地局プロトコルスタックユニットをさらに含み、
処理ユニットは、基地局プロトコルスタックユニット内のアグリゲーション層で生成された第１のプロトコルデータユニットにＩＰヘッダを追加するように特に構成され、送信ユニットは、ＷＬＡＮ ＡＰを使用することによって、およびＩＰトンネルを通して、追加されたＩＰヘッダを有する第１のプロトコルデータユニットをユーザ機器に送るようにさらに構成される、または
受信ユニットは、ＷＬＡＮ ＡＰを使用することによって、およびＩＰトンネルを通して、ユーザ機器によって送られた第２のプロトコルデータユニットを受信するようにさらに構成され、処理ユニットは、第２のプロトコルデータユニットのＩＰヘッダを削除し、ＩＰヘッダが削除された第２のプロトコルデータユニットを処理するように基地局プロトコルスタックユニット内のアグリゲーション層に命令するように特に構成され、ＩＰヘッダは、ユーザ機器プロトコルスタック内のアグリゲーション層で生成された第２のプロトコルデータユニットにユーザ機器によって追加される。
【００２９】
第３の態様の第１の可能な実装様式を参照して、第３の態様の第２の可能な実装様式では、
送信ユニットが、ＷＬＡＮ ＡＰを使用することによって、およびＩＰトンネルを通して、追加されたＩＰヘッダを有する第１のプロトコルデータユニットをユーザ機器に送る前、処理ユニットが、基地局プロトコルスタックユニット内のアグリゲーション層で生成された第１のプロトコルデータユニットにＩＰヘッダを追加するように特に構成され、このＩＰヘッダは、第１のプロトコルデータユニットに対応しロケーション情報に従って処理ユニットによって追加された無線ベアラ情報を含み、この無線ベアラ情報は、ＩＰヘッダが削除された第１のプロトコルデータユニットを処理するように、無線ベアラ情報とマッピング関係にあってユーザ機器プロトコルスタック内にあるアグリゲーション層エンティティに命令するためにユーザ機器によって使用される、または
受信ユニットが、ＷＬＡＮ ＡＰを使用することによって、および前記ＩＰトンネルを通して、ユーザ機器によって送られた第２のプロトコルデータユニットを受信した後、処理ユニットが、ロケーション情報に従って第２のプロトコルデータユニットのＩＰヘッダから、第２のプロトコルデータユニットに対応する無線ベアラ情報を取得し、第２のプロトコルデータユニットのＩＰヘッダを削除し、ＩＰヘッダが削除された第２のプロトコルデータユニットを処理するように、無線ベアラ情報とマッピング関係にあって基地局プロトコルスタックユニット内にあるアグリゲーション層エンティティに命令するように特に構成される。
【００３０】
第３の態様の第２の可能な実装様式を参照して、第３の態様の第３の可能な実装様式では、ロケーション情報は、ＩＰヘッダ内の無線ベアラ情報のロケーションを示すために使用され、
送信ユニットはユーザ機器にロケーション情報を送るようにさらに構成される、または
処理ユニットは、通信プロトコルに従ってロケーション情報についてユーザ機器と一致するようにさらに構成される。
【００３１】
第３の態様の第２の可能な実装様式または第３の可能な実装様式を参照して、第３の態様の第４の可能な実装様式では、無線ベアラ情報は、無線ベアラ識別子または論理チャネル識別子を含む。
【００３２】
第３の態様の第４の可能な実装様式を参照して、第３の態様の第５の可能な実装様式では、ＩＰヘッダは、論理チャネル識別子に対応する論理チャネルの優先情報、または無線ベアラ識別子に対応する無線ベアラの優先情報をさらに含む。
【００３３】
第３の態様の第２から第５の可能な実装様式のいずれか１つを参照して、第３の態様の第６の可能な実装様式では、基地局プロトコルスタックユニット内のアグリゲーション層は、
ワイヤレスセルラーネットワークを使用することによってユーザ機器に送信ユニットによって送信されるプロトコルデータユニットから第１のプロトコルデータユニットを分割する、または
ＩＰヘッダが削除された第２のプロトコルデータユニットと、ワイヤレスセルラーネットワークを使用することによって受信ユニットにユーザ機器によって送信されたプロトコルデータユニットとを収束させる
ために使用される。
【００３４】
第３の態様の第２から第６の可能な実装様式のいずれか１つを参照して、第３の態様の第７の可能な実装様式では、アグリゲーション層は、パケットデータコンバージェンスプロトコルＰＤＣＰ層、メディアアクセス制御ＭＡＣ層、無線リンク制御ＲＬＣ層、およびＩＰ層のうちのいずれか１つを含む。
【００３５】
第３の態様の第２から第７の可能な実装様式のいずれか１つを参照して、第３の態様の第８の可能な実装様式では、第１のプロトコルデータユニットのＩＰヘッダは、送信元ＩＰアドレスと、宛先ＩＰアドレスとをさらに含み、送信元ＩＰアドレスは第１のＩＰアドレスであり、宛先ＩＰアドレスは第２のＩＰアドレスである、または
第２のプロトコルデータユニットのＩＰヘッダは、送信元ＩＰアドレスと、宛先ＩＰアドレスとをさらに含み、送信元ＩＰアドレスは第２のＩＰアドレスであり、宛先ＩＰアドレスは第１のＩＰアドレスである。
【００３６】
第３の態様の第１から第８の可能な実装様式のいずれか１つを参照して、第３の態様の第９の可能な実装様式では、処理ユニットは、追加されたＩＰヘッダを有する第１のプロトコルデータユニットに対する完全性保護を実行するようにさらに構成される。
【００３７】
第４の態様によれば、本発明の実施形態は、
基地局によって送られた、要求情報、ワイヤレスローカルエリアネットワークアクセスポイントＷＬＡＮ ＡＰの識別子、および基地局の第１のＩＰアドレスを受信するように構成された受信ユニットであって、要求情報は、ＷＬＡＮ ＡＰを使用することによって基地局へのマルチストリームアグリゲーションデータ伝送を実行することをユーザ機器に要求するために使用される、受信ユニットと、
ＷＬＡＮ ＡＰによってユーザ機器に割り当てられた第２のＩＰアドレスおよび確認情報を基地局に送るように構成された送信ユニットであって、確認情報は、ユーザ機器がＷＬＡＮ ＡＰを使用することによって基地局へのマルチストリームアグリゲーションデータ伝送を実行することを確認するために使用される、送信ユニットと、
ＷＬＡＮ ＡＰを使用することによって、およびＩＰトンネルを通して、基地局へのマルチストリームアグリゲーションデータ伝送を実行するように構成された処理ユニットであって、ＩＰトンネルは、第１のＩＰアドレスおよび第２のＩＰアドレスを使用することによって決定される、処理ユニットと
を含むユーザ機器を提供する。
【００３８】
第４の態様を参照して、第４の態様の第１の可能な実装様式では、ユーザ機器はユーザ機器プロトコルスタックユニットをさらに含み、
受信ユニットは、ＷＬＡＮ ＡＰを使用することによって、およびＩＰトンネルを通して、基地局によって送られた第１のプロトコルデータユニットを受信するようにさらに構成され、処理ユニットは、第１のプロトコルデータユニットのＩＰヘッダを削除し、ＩＰヘッダが削除された第１のプロトコルデータユニットを処理するようにユーザ機器プロトコルスタックユニット内のアグリゲーション層に命令し、ＩＰヘッダは、基地局プロトコルスタック内のアグリゲーション層で生成された第１のプロトコルデータユニットに基地局によって追加されるように特に構成され、または
処理ユニットは、ユーザ機器プロトコルスタックユニット内のアグリゲーション層で生成された第２のプロトコルデータユニットにＩＰヘッダを追加するように特に構成され、送信ユニットは、ＷＬＡＮ ＡＰを使用することによって、およびＩＰトンネルを通して、追加されたＩＰヘッダを有する第２のプロトコルデータユニットを基地局に送るようにさらに構成される。
【００３９】
第４の態様の第１の可能な実装様式を参照して、第４の態様の第２の可能な実装様式では、受信ユニットが、ＷＬＡＮ ＡＰを使用することによって、およびＩＰトンネルを通して、基地局によって送られた第１のプロトコルデータユニットを受信した後、処理ユニットが、
ロケーション情報に従って第１のプロトコルデータユニットのＩＰヘッダから、第１のプロトコルデータユニットに対応する無線ベアラ情報を取得し、第１のプロトコルデータユニットのＩＰヘッダを削除し、ＩＰヘッダが削除された第１のプロトコルデータユニットを処理するように、無線ベアラ情報とマッピング関係にあってユーザ機器プロトコルスタックユニット内にあるアグリゲーション層エンティティに命令するように特に構成される、または
送信ユニットが、ＷＬＡＮ ＡＰを使用することによって、およびＩＰトンネルを通して、追加されたＩＰヘッダを有する第２のプロトコルデータユニットを基地局に送る前、処理ユニットが、
ユーザ機器プロトコルスタックユニット内のアグリゲーション層で生成された第２のプロトコルデータユニットにＩＰヘッダを追加し、ＩＰヘッダは、第２のプロトコルデータユニットに対応しロケーション情報に従ってユーザ機器によって追加された無線ベアラ情報を含み、この無線ベアラ情報は、ＩＰヘッダが削除された第２のプロトコルデータユニットを処理するように、無線ベアラ情報とマッピング関係にあって基地局プロトコルスタック内にあるアグリゲーション層エンティティに命令するために基地局によって使用されるように特に構成される。
【００４０】
第４の態様の第２の可能な実装様式を参照して、第４の態様の第３の可能な実装様式では、ロケーション情報は、ＩＰヘッダ内の無線ベアラ情報のロケーションを示すために使用され、
受信ユニットは、基地局によって送られたロケーション情報を受信するようにさらに構成される、または
処理ユニットは、通信プロトコルに従ってロケーション情報について基地局と一致するようにさらに構成される。
【００４１】
第４の態様の第２の可能な実装様式または第３の可能な実装様式を参照して、第４の態様の第４の可能な実装様式では、無線ベアラ情報は、無線ベアラ識別子または論理チャネル識別子を含む。
【００４２】
第４の態様の第４の可能な実装様式を参照して、第４の態様の第５の可能な実装様式では、ＩＰヘッダは、論理チャネル識別子に対応する論理チャネルの優先情報、または無線ベアラ識別子に対応する無線ベアラの優先情報をさらに含む。
【００４３】
第４の態様の第２から第５の可能な実装様式のいずれか１つを参照して、第４の態様の第６の可能な実装様式では、ユーザ機器プロトコルスタックユニット内のアグリゲーション層は、
ワイヤレスセルラーネットワークを使用することによって基地局に送信ユニットによって送信されるプロトコルデータユニットから第２のプロトコルデータユニットを分割する、または
ＩＰヘッダが削除された第１のプロトコルデータユニットと、ワイヤレスセルラーネットワークを使用することによって受信ユニットに基地局によって送信されたプロトコルデータユニットとを収束させる
ために使用される。
【００４４】
第４の態様の第２から第６の可能な実装様式のいずれか１つを参照して、第４の態様の第７の可能な実装様式では、アグリゲーション層は、
パケットデータコンバージェンスプロトコルＰＤＣＰ層、メディアアクセス制御ＭＡＣ層、無線リンク制御ＲＬＣ層、およびＩＰ層
のうちのいずれか１つを含む。
【００４５】
第４の態様の第２から第７の可能な実装様式のいずれか１つを参照して、第４の態様の第８の可能な実装様式では、第１のプロトコルデータユニットのＩＰヘッダは、送信元ＩＰアドレスと、宛先ＩＰアドレスとをさらに含み、送信元ＩＰアドレスは第１のＩＰアドレスであり、宛先ＩＰアドレスは第２のＩＰアドレスである、または
第２のプロトコルデータユニットのＩＰヘッダは、送信元ＩＰアドレスと、宛先ＩＰアドレスとをさらに含み、送信元ＩＰアドレスは第２のＩＰアドレスであり、宛先ＩＰアドレスは第１のＩＰアドレスである。
【００４６】
第４の態様の第１から第８の可能な実装様式のいずれか１つを参照して、第４の態様の第９の可能な実装様式では、処理ユニットは、追加されたＩＰヘッダを有する第２のプロトコルデータユニットに対する完全性保護を実行するようにさらに構成される。
【００４７】
第５の態様によれば、本発明の実施形態は、ネットワークインタフェースと、メモリと、プロセッサと、バスとを含み、ネットワークインタフェース、メモリ、およびプロセッサはバスに別個に接続され、
プロセッサは、ネットワークインタフェースを使用することによって、メモリ内に記憶されたプログラムを呼び出し、
要求情報、ワイヤレスローカルエリアネットワークアクセスポイントＷＬＡＮ ＡＰの識別子、および基地局の第１のＩＰアドレスをユーザ機器に送り、要求情報は、ＷＬＡＮ ＡＰを使用することによって基地局へのマルチストリームアグリゲーションデータ伝送を実行することをユーザ機器に要求するために使用され、
ユーザ機器によって送られた、ＷＬＡＮ ＡＰによってユーザ機器に割り当てられた第２のＩＰアドレスおよび確認情報を、ネットワークインタフェースを使用することによって受信し、確認情報は、ユーザ機器がＷＬＡＮ ＡＰを使用することによって基地局へのマルチストリームアグリゲーションデータ伝送を実行することを確認するために使用され、
ＷＬＡＮ ＡＰを使用することによって、およびＩＰトンネルを通して、ユーザ機器へのマルチストリームアグリゲーションデータ伝送を前記プロセッサによって実行し、ＩＰトンネルは、第１のＩＰアドレスおよび第２のＩＰアドレスを使用することによって決定される
ように構成される基地局を提供する。
【００４８】
第５の態様を参照して、第５の態様の第１の可能な実装様式では、プロセッサが、前記ＷＬＡＮ ＡＰを使用することによって、およびＩＰトンネルを通して、ユーザ機器へのマルチストリームアグリゲーションデータ伝送を実行するとき、プロセッサは、
基地局プロトコルスタックのアグリゲーション層機能に従って生成された第１のプロトコルデータユニットにＩＰヘッダを追加し、ＷＬＡＮ ＡＰを使用することによって、ＩＰトンネルを通して、およびネットワークインタフェースを使用することによって、追加されたＩＰヘッダを有する第１のプロトコルデータユニットをユーザ機器に送る、または
ＷＬＡＮ ＡＰを使用することによって、およびＩＰトンネルを通して、ユーザ機器によって送られた第２のプロトコルデータユニットを、ネットワークインタフェースを使用することによって受信し、第２のプロトコルデータユニットのＩＰヘッダを削除し、ＩＰヘッダが削除された第２のプロトコルデータユニットを、基地局プロトコルスタックのアグリゲーション層機能に従って処理し、ＩＰヘッダは、ユーザ機器プロトコルスタックのアグリゲーション層機能に従って生成された第２のプロトコルデータユニットにユーザ機器によって追加される
ように特に構成される。
【００４９】
第５の態様の第１の可能な実装様式を参照して、第５の態様の第２の可能な実装様式では、
プロセッサが、ＷＬＡＮ ＡＰを使用することによって、およびＩＰトンネルを通して、ユーザ機器へのマルチストリームアグリゲーションデータ伝送を実行するとき、プロセッサは、
局プロトコルスタックのアグリゲーション層機能に従って生成された第１のプロトコルデータユニットにＩＰヘッダを追加し、ＷＬＡＮ ＡＰを使用することによって、ＩＰトンネルを通して、およびネットワークインタフェースを使用することによって、追加されたＩＰヘッダを有する第１のプロトコルデータユニットをユーザ機器に送り、ＩＰヘッダは、第１のプロトコルデータユニットに対応しロケーション情報に従ってプロセッサによって追加された無線ベアラ情報を含み、この無線ベアラ情報は、ＩＰヘッダが削除された第１のプロトコルデータユニットを、無線ベアラ情報とマッピング関係にあってユーザ機器プロトコルスタック内にあるアグリゲーション層エンティティのアグリゲーション層機能に従って処理するために、ユーザ機器によって使用される、または
ＷＬＡＮ ＡＰを使用することによって、およびＩＰトンネルを通して、ユーザ機器によって送られた第２のプロトコルデータユニットを、ネットワークインタフェースを使用することによって受信し、ロケーション情報に従って第２のプロトコルデータユニットのＩＰヘッダから、第２のプロトコルデータユニットに対応する無線ベアラ情報を取得し、第２のプロトコルデータユニットのＩＰヘッダを削除し、ＩＰヘッダが削除された第２のプロトコルデータユニットを、無線ベアラ情報とマッピング関係にあって基地局プロトコルスタック内にあるアグリゲーション層エンティティのアグリゲーション層機能に従って処理する
ように特に構成される。
【００５０】
第５の態様の第２の可能な実装様式を参照して、第５の態様の第３の可能な実装様式では、ロケーション情報は、ＩＰヘッダ内の無線ベアラ情報のロケーションを示すために使用され、
プロセッサは、ネットワークインタフェースを使用することによってユーザ機器にロケーション情報を送る、または通信プロトコルに従ってロケーション情報についてユーザ機器と一致するようにさらに構成される。
【００５１】
第５の態様の第２の可能な実装様式または第３の可能な実装様式を参照して、第５の態様の第４の可能な実装様式では、無線ベアラ情報は、無線ベアラ識別子または論理チャネル識別子を含む。
【００５２】
第５の態様の第４の可能な実装様式を参照して、第５の態様の第５の可能な実装様式では、ＩＰヘッダは、論理チャネル識別子に対応する論理チャネルの優先情報、または無線ベアラ識別子に対応する無線ベアラの優先情報をさらに含む。
【００５３】
第５の態様の第２から第５の可能な実装様式のいずれか１つを参照して、第５の態様の第６の可能な実装様式では、プロセッサは、基地局プロトコルスタックのアグリゲーション層機能に従って、
ワイヤレスセルラーネットワークを使用することによってユーザ機器に送信ユニットによって送信されるプロトコルデータユニットから第１のプロトコルデータユニットを分割する、または
ＩＰヘッダが削除された第２のプロトコルデータユニットと、ワイヤレスセルラーネットワークを使用することによって受信ユニットにユーザ機器によって送信されたプロトコルデータユニットとを収束させる
ようにさらに構成される。
【００５４】
第５の態様の第２から第６の可能な実装様式のいずれか１つを参照して、第５の態様の第７の可能な実装様式では、アグリゲーション層は、
パケットデータコンバージェンスプロトコルＰＤＣＰ層、メディアアクセス制御ＭＡＣ層、無線リンク制御ＲＬＣ層、およびＩＰ層
のうちのいずれか１つを含む。
【００５５】
第５の態様の第２から第７の可能な実装様式のいずれか１つを参照して、第５の態様の第８の可能な実装様式では、第１のプロトコルデータユニットのＩＰヘッダは、送信元ＩＰアドレスと、宛先ＩＰアドレスとをさらに含み、送信元ＩＰアドレスは第１のＩＰアドレスであり、宛先ＩＰアドレスは第２のＩＰアドレスである、または
第２のプロトコルデータユニットのＩＰヘッダは、送信元ＩＰアドレスと、宛先ＩＰアドレスとをさらに備え、送信元ＩＰアドレスは第２のＩＰアドレスであり、宛先ＩＰアドレスは第１のＩＰアドレスである。
【００５６】
第５の態様の第１から第８の可能な実装様式のいずれか１つを参照して、第５の態様の第９の可能な実装様式では、プロセッサは、追加されたＩＰヘッダを有する第１のプロトコルデータユニットに対する完全性保護を実行するようにさらに構成される。
【００５７】
第６の態様によれば、本発明の実施形態は、ネットワークインタフェースと、メモリと、プロセッサと、バスとを含み、ネットワークインタフェース、メモリ、およびプロセッサがバスに別個に接続され、
プロセッサは、バスを使用することによって、メモリ内に記憶されたプログラムを呼び出し、
基地局によって送られた、要求情報、ワイヤレスローカルエリアネットワークアクセスポイントＷＬＡＮ ＡＰの識別子、および基地局の第１のＩＰアドレスを、ネットワークインタフェースを使用することによって受信し、要求情報は、ＷＬＡＮ ＡＰを使用することによって基地局へのマルチストリームアグリゲーションデータ伝送を実行することをユーザ機器に要求するために使用され、
ＷＬＡＮ ＡＰによってユーザ機器に割り当てられた第２のＩＰアドレスおよび確認情報を、ネットワークインタフェースを使用することによって基地局に送り、確認情報は、ユーザ機器がＷＬＡＮ ＡＰを使用することによって基地局へのマルチストリームアグリゲーションデータ伝送を実行することを確認するために使用され、
ＷＬＡＮ ＡＰを使用することによって、およびＩＰトンネルを通して、基地局へのマルチストリームアグリゲーションデータ伝送をプロセッサによって実行し、ＩＰトンネルは、第１のＩＰアドレスおよび第２のＩＰアドレスを使用することによって決定される
ように構成されるユーザ機器を提供する。
【００５８】
第６の態様を参照して、第６の態様の第１の可能な実装様式では、プロセッサが、ＷＬＡＮ ＡＰを使用することによって、およびＩＰトンネルを通して、基地局へのマルチストリームアグリゲーションデータ伝送を実行するとき、プロセッサは、
ＷＬＡＮ ＡＰを使用することによって、およびＩＰトンネルを通して、基地局によって送られた第１のプロトコルデータユニットを、ネットワークインタフェースを使用することによって受信し、第１のプロトコルデータユニットのＩＰヘッダを削除し、ＩＰヘッダが削除された第１のプロトコルデータユニットを、ユーザ機器プロトコルスタックのアグリゲーション層機能に従って処理し、ＩＰヘッダは、基地局プロトコルスタックのアグリゲーション層機能に従って生成された第１のプロトコルデータユニットに基地局によって追加される、または
ユーザ機器プロトコルスタックのアグリゲーション層機能に従って生成された第２のプロトコルデータユニットにＩＰヘッダを追加し、ＷＬＡＮ ＡＰを使用することによって、ＩＰトンネルを通して、およびネットワークインタフェースを使用することによって、追加されたＩＰヘッダを有する第２のプロトコルデータユニットを基地局に送るように特に構成される。
【００５９】
第６の態様の第１の可能な実装様式を参照して、第６の態様の第２の可能な実装様式では、プロセッサは、ＷＬＡＮ ＡＰを使用することによって、およびＩＰトンネルを通して、基地局へのマルチストリームアグリゲーションデータ伝送を実行するとき、プロセッサが、
ＷＬＡＮ ＡＰを使用することによって、およびＩＰトンネルを通して、基地局によって送られた第１のプロトコルデータユニットを、ネットワークインタフェースを使用することによって受信し、ロケーション情報に従って第１のプロトコルデータユニットのＩＰヘッダから、第１のプロトコルデータユニットに対応する無線ベアラ情報を取得し、第１のプロトコルデータユニットのＩＰヘッダを削除し、ＩＰヘッダが削除された第１のプロトコルデータユニットを、無線ベアラ情報とマッピング関係にあってユーザ機器プロトコルスタック内にあるアグリゲーション層エンティティのアグリゲーション層機能に従って処理する、または
ユーザ機器プロトコルスタックのアグリゲーション層機能に従って生成された第２のプロトコルデータユニットにＩＰヘッダをプロセッサによって追加し、ＷＬＡＮ ＡＰを使用することによって、ＩＰトンネルを通して、およびネットワークインタフェースを使用することによって、追加されたＩＰヘッダを有する第２のプロトコルデータユニットを基地局に送り、ＩＰヘッダは、第２のプロトコルデータユニットに対応しロケーション情報に従ってプロセッサによって追加される無線ベアラ情報を含み、無線ベアラ情報は、ＩＰヘッダが削除された第２のプロトコルデータユニットを、無線ベアラ情報とマッピング関係にあって基地局プロトコルスタック内にあるアグリゲーション層エンティティのアグリゲーション層機能に従って処理するために、基地局によって使用されるように特に構成される。
【００６０】
第６の態様の第２の可能な実装様式を参照して、第６の態様の第３の可能な実装様式では、ロケーション情報は、ＩＰヘッダ内の無線ベアラ情報のロケーションを示すために使用され、
プロセッサは、基地局によって送られたロケーション情報を、ネットワークインタフェースを使用することによって受信する、または通信プロトコルに従ってロケーション情報についてユーザ機器と一致するようにさらに構成される。
【００６１】
第６の態様の第２の可能な実装様式または第３の可能な実装様式を参照して、第６の態様の第４の可能な実装様式では、無線ベアラ情報は、無線ベアラ識別子または論理チャネル識別子を含む。
【００６２】
第６の態様の第４の可能な実装様式を参照して、第６の態様の第５の可能な実装様式では、ＩＰヘッダは、論理チャネル識別子に対応する論理チャネルの優先情報、または無線ベアラ識別子に対応する無線ベアラの優先情報をさらに備える。
【００６３】
第６の態様の第２から第５の可能な実装様式のいずれか１つを参照して、第６の態様の第６の可能な実装様式では、プロセッサは、ユーザ機器プロトコルスタックのアグリゲーション層機能に従って、
ワイヤレスセルラーネットワークを使用することによって基地局に送信ユニットによって送信されるプロトコルデータユニットから第２のプロトコルデータユニットを分割する、または
ＩＰヘッダが削除された第１のプロトコルデータユニットと、ワイヤレスセルラーネットワークを使用することによって受信ユニットに基地局によって送信されたプロトコルデータユニットとを収束させる
ようにさらに構成される。
【００６４】
第６の態様の第２から第６の可能な実装様式のいずれか１つを参照して、第６の態様の第７の可能な実装様式では、アグリゲーション層は、パケットデータコンバージェンスプロトコルＰＤＣＰ層、メディアアクセス制御ＭＡＣ層、無線リンク制御ＲＬＣ層、およびＩＰ層のうちのいずれか１つを含む。
【００６５】
第６の態様の第２から第７の可能な実装様式のいずれか１つを参照して、第６の態様の第８の可能な実装様式では、第１のプロトコルデータユニットのＩＰヘッダは、送信元ＩＰアドレスと、宛先ＩＰアドレスとをさらに含み、送信元ＩＰアドレスは第１のＩＰアドレスであり、宛先ＩＰアドレスは第２のＩＰアドレスである、または
第２のプロトコルデータユニットのＩＰヘッダは、送信元ＩＰアドレスと、宛先ＩＰアドレスとをさらに含み、送信元ＩＰアドレスは第２のＩＰアドレスであり、宛先ＩＰアドレスは第１のＩＰアドレスである。
【００６６】
第６の態様の第１から第８の可能な実装様式のいずれか１つを参照して、第６の態様の第９の可能な実装様式では、プロセッサは、追加されたＩＰヘッダを有する第２のプロトコルデータユニットに対する完全性保護を実行するようにさらに構成される。
【００６７】
本発明の実施形態は、データ伝送方法およびデバイスを提供する。データオフローディングプロセスでは、基地局は、コンバージェンスポイントおよび分割ポイントとして使用される。基地局は、ワイヤレスローカルエリアネットワーク内のネットワークリンクの品質変化を受けやすく、これは、ＥＰＣがコンバージェンスポイントおよび分割ポイントとして使用されるとき、サービス継続性を保証し、ユーザ体験を改善し、ワイヤレスローカルエリアネットワーク内のネットワークリンクの品質変化に対するＥＰＣの非感受性によって引き起こされるサービス不継続を回避する。
【図面の簡単な説明】
【００６８】
本発明の実施形態または従来技術における技術的解決策についてより明確に説明するために、以下は、実施形態または従来技術について説明するために必要とされる添付の図面について簡単に説明する。明らかに、以下の説明における添付の図面は本発明のいくつかの実施形態を示すにすぎず、当業者は、これらの添付の図面から創意工夫なしに他の図面をなお導出し得る。
【図１】本発明によるデータ伝送シナリオの概略図である。
【図２】本発明の実施形態による、基地局、ＵＥ、およびＷＬＡＮ ＡＰ内のプロトコルスタック間の通信関係を示す概略図である。
【図３】本発明の実施形態による、基地局、ＵＥ、およびＷＬＡＮ ＡＰ内のプロトコルスタックの構成構造を示す概略図である。
【図４】本発明の実施形態によるＩＰＶ４ヘッダの概略図である。
【図５】本発明の実施形態によるＩＰＶ６ヘッダの概略図である。
【図６】本発明の実施形態によるデータ伝送方法の概略フローチャートである。
【図７】本発明の別の実施形態によるデータ伝送方法の概略フローチャートである。
【図８】本発明の実施形態による基地局の概略構造図である。
【図９】本発明の実施形態によるユーザ機器の概略構造図である。
【図１０】本発明の別の実施形態による基地局の概略構造図である。
【図１１】本発明の別の実施形態によるユーザ機器の概略構造図である。
【発明を実施するための形態】
【００６９】
以下は、本発明の実施形態において添付の図面を参照しながら、本発明の実施形態における技術的解決策について明確および完全に説明する。明らかに、説明される実施形態は、本発明の実施形態のすべてではなく、いくつかに過ぎない。創意工夫なしに本発明の実施形態に基づいて当業者によって得られるすべての他の実施形態は、本発明の保護範囲に含まれるものとする。
【００７０】
本発明の技術的解決策は、本発明では限定されるものではないが、Ｇｌｏｂａｌ  Ｓｙｓｔｅｍ  ｆｏｒ  Ｍｏｂｉｌｅ  Ｃｏｍｍｕｎｉｃａｔｉｏｎｓ（Ｇｌｏｂａｌ  Ｓｙｓｔｅｍ  ｏｆ  Ｍｏｂｉｌｅ  ｃｏｍｍｕｎｉｃａｔｉｏｎ、略してＧＳＭ）システム、符号分割多元接続（Ｃｏｄｅ  Ｄｉｖｉｓｉｏｎ  Ｍｕｌｔｉｐｌｅ  Ａｃｃｅｓｓ、略してＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、略してＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、略してＧＰＲＳ）システム、ロングタームエボリューション（Ｌｏｎｇ  Ｔｅｒｍ  Ｅｖｏｌｕｔｉｏｎ、略してＬＴＥ）システム、およびユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、略してＵＭＴＳ）などの、ワイヤレスセルラーネットワーク内のさまざまな通信システムに適用され得る。
【００７１】
本発明の実施形態では、モバイル端末（Ｍｏｂｉｌｅ  Ｔｅｒｍｉｎａｌ）、モバイルユーザ機器などとも呼ばれるユーザ機器（Ｕｓｅｒ  Ｅｑｕｉｐｍｅｎｔ、略してＵＥ）は、無線アクセスネットワーク（たとえば、Ｒａｄｉｏ  Ａｃｃｅｓｓ  Ｎｅｔｗｏｒｋ、略してＲＡＮ）を使用することによって、１または複数のコアネットワークと通信し得る。ユーザ機器は、本発明では限定されるものではないが、モバイル電話（または、「セルラー」電話と呼ばれる）およびモバイル端末を有するコンピュータなどのモバイル端末であってもよいし、たとえば、無線アクセスネットワークと音声および／またはデータを交換する、ポータブルモバイル装置、ポケットサイズのモバイル装置、ハンドヘルドモバイル装置、コンピュータ内蔵モバイル装置、または車載モバイル装置であってもよい。
【００７２】
基地局は、本発明では限定されるものではないが、ＧＳＭ（登録商標）またはＣＤＭＡにおけるベーストランシーバ基地局（Ｂａｓｅ  Ｔｒａｎｃｅｉｖｅｒ  Ｓｔａｔｉｏｎ、略してＢＴＳ）であってもよいし、ＷＣＤＭＡ（登録商標）におけるノードＢ（ＮｏｄｅＢ）であってもよいし、またはＬＴＥにおける発展型ＮｏｄｅＢ（ｅＮＢまたはｅ−ＮｏｄｅＢ、ｅｖｏｌｖｅｄ  ＮｏｄｅＢ）であってもよい。基地局は、さまざまなアクセスネットワークノードの制御ノード、たとえば、ＵＭＴＳにおける無線ネットワークコントローラ（Ｒａｄｉｏ  Ｎｅｔｗｏｒｋ  Ｃｏｎｔｒｏｌｌｅｒ、略してＲＮＣ）または複数のスモールセルを管理するコントローラをさらに含む。
【００７３】
本発明の実施形態では、本発明の通信システムにおいて、ワイヤレスセルラーネットワーク内のデータをオフロードするために、ワイヤレスローカルエリアネットワークアクセスポイント（Ｗｉｒｅｌｅｓｓ  Ｌｏｃａｌ  Ａｒｅａ  Ｎｅｔｗｏｒｋ  Ａｃｃｅｓｓ  Ｐｏｉｎｔ、略してＷＬＡＮ ＡＰ）が設置される必要があり、ワイヤレスローカルエリアネットワークアクセスポイントは、本発明では限定されるものではないが、たとえば、ワイヤレスフィデリティ（Ｗｉｒｅｌｅｓｓ  Ｆｉｄｅｌｉｔｙ、略してＷｉＦｉ）アクセスポイントであってよい。
【００７４】
本発明の実施形態におけるＷＬＡＮ ＡＰは、２つのネットワークアーキテクチャ、すなわち、自己管理アーキテクチャおよび集中管理アーキテクチャを有する。自己管理アーキテクチャは、「ファット（fat）」ＡＰアーキテクチャとも呼ばれる。ＷＬＡＮ ＡＰは、ユーザ機器アクセス、ユーザ機器切断、パーミッション認証、セキュリティポリシー実装、データ転送、データ暗号化、およびネットワーク管理などのタスクを担当し、ＷＬＡＮ ＡＰのタスクである構成およびワイヤレス機能を独立して制御する。集中管理アーキテクチャは、「フィット（fit）」ＡＰアーキテクチャとも呼ばれ、管理権は一般に、アクセスコントローラ（Ａｃｃｅｓｓ  Ｃｏｎｔｒｏｌｌｅｒ、略してＡＣ）上に集中される。ＡＣは、ユーザ機器のＩＰアドレス、認証、暗号化などを管理する。ＷＬＡＮ ＡＰは、暗号化、データ転送、および無線周波数機能などの機能のみを有するが、独立して機能することはできない。ワイヤレスアクセスポイントの制御およびプロビジョニング（Ｃｏｎｔｒｏｌ  Ａｎｄ  Ｐｒｏｖｉｓｉｏｎｉｎｇ  ｏｆ  Ｗｉｒｅｌｅｓｓ  Ａｃｃｅｓｓ  Ｐｏｉｎｔｓ、略してＣＡＰＷＡＰ）プロトコルが、ＷＬＡＮ ＡＰとＡＣとの間で使用される。任意選択で、前述のＷＬＡＮ ＡＰは、基地局とともに設置される。本発明の実施形態は、ＷＬＡＮ ＡＰのデータ転送機能に主に関するので、前述のＷＬＡＮ ＡＰの両方の２つのネットワークアーキテクチャが適用され得る。理解および説明を容易にするために、以下では、本発明では限定されるものではないが、一例として自己管理アーキテクチャ、すなわち、「ファット」ＡＰアーキテクチャを使用する。
【００７５】
図１は、本発明によるデータ伝送シナリオの概略図である。シナリオは、高速で安定したサービスをユーザ機器に提供するために基地局とＵＥとの間の従来のワイヤレスセルラーネットワーク通信がＷＬＡＮ ＡＰとＵＥとの間のワイヤレスローカルエリアネットワーク通信と統合されたマルチストリームアグリゲーション（Ｍｕｌｔｉｐｌｅ  Ｓｔｒｅａｍ  Ａｇｇｒｅｇａｔｉｏｎ、略してＭＳＡ）通信様式に関するものである。基地局とＷＬＡＮ ＡＰとの間の通信はワイヤード通信である。図１に示されるように、基地局は、データの分割ポイントおよびコンバージェンスポイントとして使用され得る。基地局が、ＷＬＡＮ ＡＰを使用することによってＵＥのデータをオフロードすることを決定すると、ＵＥのデータ（アップリンクデータまたはダウンリンクデータを含む）は、ＷＬＡＮ ＡＰを使用することによって、および基地局とＵＥとの間のインターネットプロトコル（ｉｎｔｅｒｎｅｔ  ｐｒｏｔｏｃｏｌ、略してＩＰ）トンネルを通して、送信される。たとえば、ＩＰトンネルは基地局とＵＥとの間に確立され、ＩＰトンネル内で送信されたデータは、ワイヤレスローカルエリアネットワークを使用することによって基地局とＵＥとの間でルーティングされる。プロセスは、以下で詳細に説明される。前述のアップリンクデータまたはダウンリンクデータは、本発明では限定されるものではないが、ワイヤレスセルラーネットワークのエアインタフェースプロトコルスタック内のプロトコル層におけるプロトコルデータユニット（ｐｒｏｔｏｃｏｌ  ｄａｔａ  ｕｎｉｔ、略してＰＤＵ）であってよい。
【００７６】
以下、ＭＳＡシナリオについて説明する。
【００７７】
本発明のこの実施形態では、基地局によってＵＥに送信された（以下では、ダウンリンク送信と呼ばれる）ダウンリンクデータは、第１の部分ダウンリンクデータと、第２の部分ダウンリンクデータとを含み得る。基地局は、第１の部分ダウンリンクデータをＷＬＡＮ ＡＰにオフロードし、次いで、ＷＬＡＮ ＡＰが第１の部分ダウンリンクデータをＵＥに送る。基地局は、ワイヤレスセルラーネットワークを使用することによって、第２の部分ダウンリンクデータをＵＥに直接的に送る。したがって、ワイヤレスセルラーネットワークおよびＷＬＡＮネットワークの両方の送信能力は、ＵＥのより高いダウンリンクピーク送信レートを達成するために使用することができる。
【００７８】
ＵＥによって基地局に送信された（以下では、アップリンク送信と呼ばれる）アップリンクデータは、第１の部分アップリンクデータと、第２の部分アップリンクデータとを含み得る。ＵＥは第１の部分アップリンクデータをＷＬＡＮ ＡＰにオフロードし、次いで、ＷＬＡＮ ＡＰは、第１の部分アップリンクデータを基地局に送る。ＵＥは、ワイヤレスセルラーネットワークを使用することによって、第２の部分アップリンクデータを基地局に直接的に送る。したがって、ワイヤレスセルラーネットワークおよびＷＬＡＮネットワークの両方の送信能力は、ＵＥのより高いアップリンクピーク送信レートを達成するために使用することができる。
【００７９】
ダウンリンク送信中、基地局は、オフロードされることを必要とするデータをＷＬＡＮ ＡＰに送信し得、ＷＬＡＮ ＡＰはデータをＵＥに送る。アップリンク送信中、ＵＥは、オフロードされることを必要とするデータをＷＬＡＮ ＡＰに送り得、ＷＬＡＮ ＡＰはデータを基地局に送る。したがって、本発明のこの実施形態では、プロトコルスタックは、基地局およびＷＬＡＮ ＡＰ内で、基地局とＷＬＡＮ ＡＰとの間で通信を実施するように構成されることを必要とする。同様に、プロトコルスタックは、ＵＥおよびＷＬＡＮ ＡＰ内で、ＵＥとＷＡＮ ＡＰとの間で通信を実施するように構成されることを必要とする。
【００８０】
図２は、本発明の実施形態による、基地局、ＵＥ、およびＷＬＡＮ ＡＰ内のプロトコルスタック間の通信関係を示す概略図である。図２に示されるように、本発明のこの実施形態では、基地局とＵＥとの間の通信は、ＩＰトンネルを使用する通信様式において実行され得る（具体的には、基地局およびＵＥは、ＷＬＡＮ ＡＰを使用することによって、オフロードされたデータを送信する）。
【００８１】
ワイヤレスローカルエリアネットワーク通信様式は、ＵＥとＷＬＡＮ ＡＰとの間で使用される。ワイヤレスローカルエリアネットワーク通信を実施するために使用されるプロトコルスタック、たとえば、ＷｉＦｉプロトコルスタックは、ＵＥにおいて設定され得る。ワイヤレスローカルエリアネットワーク通信様式は、ＵＥとＷＬＡＮ ＡＰとの間で使用されるので、ワイヤレスローカルエリアネットワーク通信様式のために使用される時間−周波数リソースは、ＵＥと基地局との間のワイヤレスセルラーネットワーク通信のために使用される時間−周波数リソースとは異なる。したがって、基地局とＵＥとの間で送信されるデータはオフロード可能である。
【００８２】
ＷＬＡＮ ＡＰと基地局との間の通信様式は、ＷＬＡＮ ＡＰと基地局との間の通信を実施するために、最下層プロトコル、たとえば、光ネットワーク伝送、イーサネット伝送、非対称デジタル加入者線（Ａｓｙｍｍｅｔｒｉｃ  Ｄｉｇｉｔａｌ  Ｓｕｂｓｃｒｉｂｅｒ  Ｌｉｎｅ、略してＡＤＳＬ）、またはマイクロ波中継などの通信様式と組み合わされてよい。
【００８３】
図３に示されるように、図３は、本発明の実施形態による、基地局、ＵＥ、およびＷＬＡＮ ＡＰ内のプロトコルスタックの構成構造を示す概略図である。以下では、基地局、ＷＬＡＮ ＡＰ、およびＵＥ内のプロトコルスタックの構成構造について別個に説明する。
【００８４】
以下、基地局内のプロトコルスタックの構成構造について説明する。
【００８５】
任意選択で、基地局は基地局プロトコルスタックを有する。本発明のこの実施形態では、基地局プロトコルスタックは、第１の基地局プロトコルスタックと、第２の基地局プロトコルスタックとを含み得る。第１の基地局プロトコルスタックは、基地局側で基地局とユーザ機器との間の通信のデータ処理を実施するために使用される。第２の基地局プロトコルスタックは、基地局側で基地局とＷＬＡＮ ＡＰとの間の通信のデータ処理を実施するために使用される。
【００８６】
第１の基地局プロトコルスタックは例として説明されているにすぎず、本発明はそれに限定されないことが理解されるべきである。基地局（またはアクセスネットワークノード）側で基地局とユーザ機器との間の通信を実施可能な別のプロトコルスタックは、本発明の保護範囲に含まれる。さらに、前述の基地局とユーザ機器との間の通信は、ユーザ機器と基地局の機能を実行可能なアクセスネットワークノードとの間の通信を含む。たとえば、中継ノード（Ｒｅｌａｙ  Ｎｏｄｅ、略してＲＮ）とユーザ機器との間の通信を実施可能なプロトコルスタックも、本発明の保護範囲に含まれる。
【００８７】
光ネットワーク伝送、イーサネット伝送、ＡＤＳＬ、またはマイクロ波中継などの通信様式が第２の基地局プロトコルスタックに使用され得る。前述の通信様式は例として説明されているにすぎず、本発明はそれに限定されないことが理解されるべきである。基地局側でＷＬＡＮ ＡＰと基地局との間の通信を実施可能な別のプロトコルスタックは、本発明の保護範囲に含まれる。第２の基地局プロトコルスタックは、本発明では限定されるものではないが、内部インタフェースを使用することによって、第１の基地局プロトコルスタック内の少なくとも１つのプロトコル層に直接的に接続され得る。
【００８８】
本発明のこの実施形態では、第１の基地局プロトコルスタックまたは第２の基地局プロトコルスタックは、本発明では具体的に限定されるものではないが、ユーザプレーンプロトコルスタックを含むようにしてよいし、ユーザプレーンプロトコルスタックと制御プレーンプロトコルスタックとを含むようにしてよい。以下では、第１の基地局プロトコルスタックまたは第２の基地局プロトコルスタックがユーザプレーンプロトコルスタックである例を説明のために使用する。
【００８９】
図３に示されるように、本発明のこの実施形態では、限定ではなく例として、第１の基地局プロトコルスタックは、以下のプロトコル層、すなわち、
パケットデータコンバージェンスプロトコル（Ｐａｃｋｅｔ  Ｄａｔａ  Ｃｏｎｖｅｒｇｅｎｃｅ  Ｐｒｏｔｏｃｏｌ、略してＰＤＣＰ）層、無線リンク制御（Ｒａｄｉｏ  Ｌｉｎｋ  Ｃｏｎｔｒｏｌ、略してＲＬＣ）層、メディアアクセス制御（Ｍｅｄｉａ  Ａｃｃｅｓｓ  Ｃｏｎｔｒｏｌ、略してＭＡＣ）層、および物理（Ｐｈｙｓｉｃａｌ、略してＰＨＹ）層を含み得る。ＰＤＣＰ層は、情報を圧縮、解凍、暗号化、および解読するために主に使用される。ＲＬＣ層は、自動再送要求（Ａｕｔｏｍａｔｉｃ  Ｒｅｐｅａｔ  Ｒｅｑｕｅｓｔ、略してＡＲＱ）に関連する機能を実施し、情報をセグメント化および連結する、またはセグメント化および連結された情報を再び組み立てるために主に使用される。ＭＡＣ層は、送信フォーマットの組み合わせを選択し、スケジューリングおよびハイブリッド自動再送要求（Ｈｙｂｒｉｄ  Ａｕｔｏｍａｔｉｃ  Ｒｅｐｅａｔ  Ｒｅｑｕｅｓｔ、略してＨＡＲＱ）に関連する機能を実施するために主に使用される。ＰＨＹ層は、ＭＡＣ層および上位層に情報送信サービスを提供し、選択された送信フォーマットの組み合わせに従って符号化および変調処理または復調および復号処理を実行するために主に使用される。
【００９０】
この実施形態の例では、第２の基地局プロトコルスタックが、本発明では限定されるものではないが、第１の基地局プロトコルスタック内のＰＤＣＰ層に接続されることが留意されるべきである。すなわち、本発明のこの実施形態では、第２の基地局プロトコルスタックは、前述の第１の基地局プロトコルスタック内のＰＤＣＰ層、ＲＬＣ層、またはＭＡＣ層の中の任意のプロトコル層に接続されてよく、またはＰＤＣＰ層より上のＩＰ層にすら接続されてよい。この実施形態では、説明を容易にするために、第１の基地局プロトコルスタック内にあり第２の基地局プロトコルスタックに接続されるプロトコル層は、アグリゲーション層と呼ばれる。この実施形態における基地局プロトコルスタック内のアグリゲーション層は、データを収束させる機能と、データを分割する機能とを有する。たとえば、アグリゲーション層は、ＷＬＡＮ ＡＰを使用することによってユーザ機器によって基地局に送信されたアップリンクデータとワイヤレスセルラーネットワークを使用することによって基地局に送信されたアップリンクデータとを収束させるために使用されてよいし、または分割を実行するために使用されてよい。アグリゲーション層は、ワイヤレスセルラーネットワークを使用することによってユーザ機器に送信されるダウンリンクデータから、ＷＬＡＮ ＡＰを使用することによって基地局によってユーザ機器に送信されるダウンリンクデータを分割するために使用され得る。本発明のこの実施形態では、アグリゲーション層は、ＰＤＣＰ層、ＲＬＣ層、ＭＡＣ層、またはＩＰ層であってよい。本発明のこの実施形態では、アグリゲーション層がＰＤＣＰ層、ＲＬＣ層、ＭＡＣ層、またはＩＰ層であるとき、対応するアグリゲーション層エンティティは、ＰＤＣＰエンティティ、ＲＬＣエンティティ、ＭＡＣエンティティ、またはＩＰエンティティであってよい。
【００９１】
以下では、第１の基地局プロトコルスタック内のアグリゲーション層が例として使用される。
【００９２】
アップリンク送信プロセスでは、第１の基地局プロトコルスタック内のアグリゲーション層は、ＷＬＡＮ ＡＰを使用することによってＵＥによって送られた第１の部分アップリンクデータと、ワイヤレスセルラーネットワークを使用することによってＵＥによって基地局に送られた第２の部分アップリンクデータとを収束させるために使用される。ダウンリンク送信プロセスでは、第１の基地局プロトコルスタック内のアグリゲーション層は、アグリゲーション層で生成されたデータを第１の部分ダウンリンクデータおよび第２の部分ダウンリンクデータに分割するために使用される。基地局は、第１の部分ダウンリンクデータを処理し、次いで、処理されたデータを、ＷＬＡＮ ＡＰを使用することによってＵＥに送り、ワイヤレスセルラーネットワークを使用することによって第２の部分ダウンリンクデータをＵＥに送る。詳細は、以下で説明される。
【００９３】
例では、基地局は、コアネットワークからデータを取得し、そのデータをユーザ機器に送る。基地局は、Ｓ１インタフェースを使用することによってコアネットワークに接続され得る。さらに、基地局は、Ｓ１インタフェースを使用することによってコアネットワークからデータを取得し、次いで、データが第１の基地局プロトコルスタック内のアグリゲーション層で処理されるまで、第１の基地局プロトコルスタック内のプロトコル層の降順にデータを処理する。基地局は、アグリゲーション層で処理した後に出力される第１の部分ダウンリンクデータにＩＰトンネルのＩＰヘッダを追加し、次いで、処理するために、追加されたＩＰヘッダを有する第１の部分ダウンリンクデータを第２の基地局プロトコルスタックに配信する。第２の基地局プロトコルスタックは、処理された第１の部分ダウンリンクデータをＷＬＡＮ ＡＰに送り、したがって、ＷＬＡＮ ＡＰは、ワイヤレスローカルエリアネットワーク通信様式で第１の部分ダウンリンクデータをＵＥに送ることができる。第１の基地局プロトコルスタックは、ワイヤレスセルラーネットワークを使用することによって、第２の部分ダウンリンクデータをＵＥにさらに送信し得る。ＵＥは、第１のユーザ機器プロトコルスタック内のアグリゲーション層で、第１の部分ダウンリンクデータと、セルラーネットワークから直接的に受信された第２の部分ダウンリンクデータとを収束させ、データの２つの部分上で並べ替えなどの処理が実行された後に取得されるデータを、第１のユーザ機器プロトコルスタック内のアグリゲーション層の上位層（アグリゲーション層が第１のユーザ機器プロトコルスタック内の最上層でない場合）に配信する。例では、第１の基地局プロトコルスタックまたは第１のユーザ機器プロトコルスタックはＬＴＥプロトコルスタックであり、ＰＨＹ／ＭＡＣ／ＲＬＣ／ＰＤＣＰ層は順次、昇順である。第１の部分ダウンリンクデータの場合、たとえば、アグリゲーション層がＰＤＣＰ層であるとき、基地局は、Ｓ１インタフェースからダウンリンクデータを取得し、次いで、ＰＤＣＰ層を使用することによって第１の部分ダウンリンクデータを生成し、処理するために、追加されたＩＰヘッダを有する第１の部分ダウンリンクデータを第２の基地局プロトコルスタックに配信し、したがって、第２の基地局プロトコルスタックは、第１の部分ダウンリンクデータをＷＬＡＮ ＡＰにオフロードする。アグリゲーション層がＲＬＣ層であるとき、基地局は、Ｓ１インタフェースからダウンリンクデータを取得し、次いで、ＰＤＣＰ層を使用することによってダウンリンクデータを処理し、処理されたデータをＲＬＣ層に送る。ＲＬＣ層では、第１の部分ダウンリンクデータが生成され、追加されたＩＰヘッダを有する第１の部分ダウンリンクデータが、処理するために第２の基地局プロトコルスタックに配信され、したがって、第２の基地局プロトコルスタックは、データをＷＬＡＮ ＡＰにオフロードする。
【００９４】
例では、基地局は、ユーザ機器によって送られたデータを受信して、そのデータをコアネットワークに送信する。基地局は、Ｓ１インタフェースを使用することによって、コアネットワークに接続され得る。ＷＬＡＮ ＡＰは、ワイヤレスローカルエリアネットワーク通信様式で、追加されたＩＰヘッダを有しＵＥによって送られた第１の部分アップリンクデータを受信し得る。次いで、ＷＬＡＮ ＡＰは、ＷＬＡＮ ＡＰと基地局との間で通信プロトコルを使用することによって、追加されたＩＰヘッダを有する第１の部分アップリンクデータを基地局に送り得る。基地局は、第１の基地局プロトコルスタック内のアグリゲーション層で、ＩＰヘッダが削除された第１の部分アップリンクデータと、ＵＥによって送られワイヤレスセルラーネットワークから直接的に受信された第２の部分アップリンクデータとを収束させ、データの２つの部分上で並べ替えなどの処理が実行された後で取得されたデータを、第１の基地局プロトコルスタック内のアグリゲーション層の上位層（アグリゲーション層が第１の基地局プロトコルスタック内の最上層でない場合）に配信する。次いで、上位層では、処理されたデータが、Ｓ１インタフェースを使用することによってコアネットワークに送られる。例では、第１の部分アップリンクデータの場合、第１の基地局プロトコルスタックはＬＴＥプロトコルスタックであり、ＰＨＹ／ＭＡＣ／ＲＬＣ／ＰＤＣＰ層は順次、昇順である。アグリゲーション層がＰＤＣＰ層であるとき、第１の部分アップリンクデータ、およびワイヤレスセルラーネットワークから直接的に受信された第２の部分アップリンクデータがＰＤＣＰ層で収束させられる。処理後、基地局は、Ｓ１インタフェースを使用することによって、処理されたデータをコアネットワークに送る。アグリゲーション層がＲＬＣ層であるとき、ＲＬＣ層では、第１の部分アップリンクデータ、およびワイヤレスセルラーネットワークから直接的に受信された第２の部分アップリンクデータが収束および処理され、次いで、ＰＤＣＰ層に配信される。ＰＤＣＰ層で処理した後、基地局は、Ｓ１インタフェースを使用することによって、処理されたデータをコアネットワークに送る。
【００９５】
以下では、ＷＬＡＮ ＡＰ内のプロトコルスタックの構成構造について説明する。
【００９６】
任意選択で、ＷＬＡＮ ＡＰは、ＷＬＡＮ ＡＰプロトコルスタックを有する。この実施形態では、ＷＬＡＮ ＡＰプロトコルスタックは、第１のＷＬＡＮ ＡＰプロトコルスタックと、第２のＷＬＡＮ ＡＰプロトコルスタックとを含み得る。第１のＷＬＡＮ ＡＰプロトコルスタックは、ＷＬＡＮ ＡＰ側でＷＬＡＮ ＡＰと基地局との間の通信のデータ処理を実施するために使用される。第２のＷＬＡＮ ＡＰプロトコルスタックは、ＷＬＡＮ ＡＰ側でＷＬＡＮ ＡＰとユーザ機器との間の通信のデータ処理を実施するために使用される。
【００９７】
光ネットワーク伝送、イーサネット伝送、ＡＤＳＬ、またはマイクロ波中継などの通信様式が第１のＷＬＡＮ ＡＰプロトコルスタックに使用され得る。前述の通信様式は例として説明されているにすぎず、本発明はそれに限定されないことが理解されるべきである。ＷＬＡＮ ＡＰ側でＷＬＡＮ ＡＰと基地局との間の通信を実施可能な別のプロトコルスタックは、本発明の保護範囲に含まれる。さらに、本発明のこの実施形態では、第１のＷＬＡＮ ＡＰプロトコルスタックは、本発明では具体的に限定されるものではないが、ユーザプレーンプロトコルスタックを含んでよいし、またはユーザプレーンプロトコルスタックと制御プレーンプロトコルスタックとを含んでよい。以下では、第１のＷＬＡＮ ＡＰプロトコルスタックがユーザプレーンプロトコルスタックである例を説明のために使用する。
【００９８】
第２のＷＬＡＮ ＡＰプロトコルスタックは、ワイヤレスローカルエリアネットワーク通信を実施するために使用されるプロトコルスタック、たとえば、ＷｉＦｉプロトコルスタックであってよい。ＷｉＦｉプロトコルスタックは例として説明されているにすぎず、本発明はそれに限定されないことが理解されるべきである。ＷＬＡＮ ＡＰ（またはワイヤレスローカルエリアネットワークアクセスポイント）側でＷＬＡＮ ＡＰとユーザ機器との間の通信を実施可能な別のプロトコルスタックは、本発明の保護範囲に含まれる。
【００９９】
図３に示されるように、本発明のこの実施形態では、限定ではなく例として、ＷｉＦｉプロトコルスタックは、論理リンク制御（Ｌｏｇｉｃａｌ  Ｌｉｎｋ  Ｃｏｎｔｒｏｌ、略してＬＬＣ）層、メディアアクセス制御（Ｍｅｄｉａ  Ａｃｃｅｓｓ  Ｃｏｎｔｒｏｌ、略してＭＡＣ）層、物理層（Ｐｈｙｓｉｃａｌ  Ｌａｙｅｒ、略してＰＨＹ）を含み得る。ＬＬＣ層の主な機能は、伝送信頼性の確保および制御、データパケットのセグメント化および再組み立て、ならびにデータパケットの逐次送信である。ＭＡＣ層の主な機能は、信頼できない媒体上での信頼性の高いデータ伝送をユーザに提供し、分散協調機能、集中アクセス制御機構、暗号化サービス、リッスンおよび回避、電力制御などを提供することである。ＰＨＹ層の主な機能は、物理層コンバージェンス手順を実行してデータブロックを適切な物理フレームフォーマットにマッピングし、符号化および変調処理、復調および復号処理などを実行することである。
【０１００】
例では、ＷＬＡＮ ＡＰは、基地局からデータを取得し、そのデータをユーザ機器に送る。ＷＬＡＮ ＡＰは、第１のＷＬＡＮ ＡＰプロトコルスタックを使用することによって、基地局がＵＥに送ることが必要なデータを取得する。次いで、ＷＬＡＮ ＡＰは、そのデータをワイヤレスローカルエリアネットワーク通信様式でＵＥに送り得る。プロセスは、以下で詳細に説明される。
【０１０１】
例では、ＷＬＡＮ ＡＰは、ユーザ機器からデータを取得し、そのデータを基地局に送る。ＷＬＡＮ ＡＰは、ＵＥが基地局に送ることが必要なデータを、ワイヤレスローカルエリアネットワーク通信様式で取得し得る。次いで、ＷＬＡＮ ＡＰは、第１のＷＬＡＮ ＡＰプロトコルスタックを使用することによって、そのデータを基地局に送り得る。プロセスは、以下で詳細に説明される。
【０１０２】
以下では、ＵＥ内のプロトコルスタックの構成構造について説明する。
【０１０３】
任意選択で、ユーザ機器は、ユーザ機器プロトコルスタックを有する。この実施形態では、ユーザ機器プロトコルスタックは、第１のユーザ機器プロトコルスタックと、第２のユーザ機器プロトコルスタックとを含む。第１のユーザ機器プロトコルスタックは、ユーザ機器側でユーザ機器と基地局との間の通信のデータ処理を実施するために使用される。第２のユーザ機器プロトコルスタックは、ユーザ機器側でユーザ機器とＷＬＡＮ ＡＰとの間の通信のデータ処理を実施するために使用される。第２のユーザ機器プロトコルスタックは、第１のユーザ機器プロトコルスタック内の少なくとも１つのプロトコル層に接続される。
【０１０４】
第１のユーザ機器プロトコルスタックは例として説明されているにすぎず、本発明はそれに限定されないことが理解されるべきである。ユーザ機器側で基地局とユーザ機器との間の通信を実施可能な別のプロトコルスタックは、本発明の保護範囲に含まれる。さらに、前述の基地局とユーザ機器との間の通信は、ユーザ機器と基地局の機能を実行可能なアクセスネットワークノードとの間の通信を含む。たとえば、中継ノード（Ｒｅｌａｙ  Ｎｏｄｅ、略してＲＮ）とユーザ機器との間の通信を実施可能なユーザ機器プロトコルスタックも、本発明の保護範囲に含まれる。
【０１０５】
図３に示されるように、限定ではなく例として、前述の第１のユーザ機器プロトコルスタックは、以下のプロトコル層、すなわち、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、略してＰＤＣＰ）層、無線リンク制御（Ｒａｄｉｏ  Ｌｉｎｋ  Ｃｏｎｔｒｏｌ、略してＲＬＣ）層、メディアアクセス制御（Ｍｅｄｉａ  Ａｃｃｅｓｓ  Ｃｏｎｔｒｏｌ、略してＭＡＣ）層、および物理（Ｐｈｙｓｉｃａｌ、略してＰＨＹ）層を含み得る。ＰＤＣＰ層は、情報を圧縮および解凍／暗号化および解読するために主に使用される。ＲＬＣ層は、自動再送要求（Ａｕｔｏｍａｔｉｃ  Ｒｅｐｅａｔ  Ｒｅｑｕｅｓｔ、略してＡＲＱ）に関連する機能を実施し、情報をセグメント化および連結する、またはセグメント化および連結された情報を再び組み立てるために主に使用される。ＭＡＣ層は、送信フォーマットの組み合わせを選択し、スケジューリングおよびハイブリッド自動再送要求（Ｈｙｂｒｉｄ  Ａｕｔｏｍａｔｉｃ  Ｒｅｐｅａｔ  Ｒｅｑｕｅｓｔ、略してＨＡＲＱ）に関連する機能を実施するために主に使用される。ＰＨＹ層は、ＭＡＣ層および上位層に情報送信サービスを提供し、選択された送信フォーマットの組み合わせに従って符号化および変調処理または復調および復号処理を実行するために主に使用される。
【０１０６】
第２のユーザ機器プロトコルスタックは、ワイヤレスローカルエリアネットワーク通信を実施するために使用されるプロトコルスタック、たとえば、ＷｉＦｉプロトコルスタックであってよい。ＷｉＦｉプロトコルスタックは例として説明されているにすぎず、本発明はそれに限定されないことが理解されるべきである。ユーザ機器側でＷＬＡＮ ＡＰとユーザ機器との間の通信を実施可能な別のプロトコルスタックは、本発明の保護範囲に含まれる。
【０１０７】
図３に示されるように、本発明のこの実施形態では、限定ではなく例として、ＷｉＦｉプロトコルスタックは、論理リンク制御ＬＬＣ層と、メディアアクセス制御ＭＡＣ層と、物理層ＰＨＹとを含み得る。ＬＬＣ層の主な機能は、伝送信頼性の確保および制御、データパケットのセグメント化および  再組み立て、ならびにデータパケットの逐次送信である。ＭＡＣ層の主な機能は、信頼できない媒体上での信頼性の高いデータ伝送をユーザに提供し、分散協調機能、集中アクセス制御機構、暗号化サービス、リッスンおよび回避、電力制御などを提供することである。物理層の主な機能は、物理層コンバージェンス手順を実行してデータブロックを適切な物理フレームフォーマットにマッピングし、符号化および変調処理、復調および復号処理などを実行することである。
【０１０８】
この実施形態の例では、第２のユーザ機器プロトコルスタックが、本発明では限定されるものではないが、第１のユーザ機器プロトコルスタック内のＰＤＣＰ層に接続されることが留意されるべきである。すなわち、本発明のこの実施形態では、第２のユーザ機器プロトコルスタックは、前述の第１のユーザ機器プロトコルスタック内のＰＤＣＰ層、ＲＬＣ層、またはＭＡＣ層の中の任意のプロトコル層に接続されてよく、またはＰＤＣＰ層より上のＩＰ層にすら接続されてもよい。この実施形態では、説明を容易にするために、第１のユーザ機器プロトコルスタック内にあり第２のユーザ機器プロトコルスタックに接続されるプロトコル層は、ユーザ機器プロトコルスタック内のアグリゲーション層と呼ばれる。この実施形態におけるユーザ機器プロトコルスタック内のアグリゲーション層は、データを収束させる機能と、データを分割する機能とを有する。たとえば、アグリゲーション層は、ＷＬＡＮ ＡＰを使用することによって基地局によってユーザ機器に送信されたダウンリンクデータとワイヤレスセルラーネットワークを使用することによってユーザ機器に送信されたダウンリンクデータとを収束させるために使用されてよいし、または分割を実行するために使用されてよい。アグリゲーション層は、ワイヤレスセルラーネットワークを使用することによって基地局に送信されるアップリンクデータから、ＷＬＡＮ ＡＰを使用することによってユーザ機器によって基地局に送信されるアップリンクデータを分割するために使用され得る。この実施形態では、アグリゲーション層は、ＰＤＣＰ層、ＲＬＣ層、ＭＡＣ層、またはＩＰ層であってよい。本発明のこの実施形態では、アグリゲーション層がＰＤＣＰ層、ＲＬＣ層、ＭＡＣ層、またはＩＰ層であるとき、対応するアグリゲーション層エンティティは、ＰＤＣＰエンティティ、ＲＬＣエンティティ、ＭＡＣエンティティ、またはＩＰエンティティであってよい。
【０１０９】
以下では、第１のユーザ機器プロトコルスタック内のアグリゲーション層が例として使用される。
【０１１０】
アップリンク送信プロセスでは、第１のユーザ機器プロトコルスタック内のアグリゲーション層は、アグリゲーション層で生成されたデータを第１の部分アップリンクデータおよび第２の部分アップリンクデータに分割するために使用される。ＵＥは、第１の部分アップリンクデータを処理し、次いで、処理されたデータを、ＷＬＡＮ ＡＰを使用することによって基地局に送り、ワイヤレスセルラーネットワークを使用することによって基地局に第２の部分アップリンクデータを送る。ダウンリンク送信中、第１のユーザ機器プロトコルスタック内のアグリゲーション層は、ＷＬＡＮ ＡＰを使用することによって基地局によって送られた第１の部分ダウンリンクデータと、ワイヤレスセルラーネットワークを使用することによって基地局によって送られた第２の部分ダウンリンクデータとを収束させるために使用される。詳細は、以下で説明される。
【０１１１】
例では、ＵＥは、ＷＬＡＮ ＡＰを使用することによって、基地局にデータを送る。ＵＥは、データが第１のユーザ機器内のアグリゲーション層で処理されるまで、第１のユーザ機器プロトコルスタック内のプロトコル層の降順にデータを処理し得る。ユーザ機器は、アグリゲーション層で処理した後に出力される第１の部分アップリンクデータにＩＰトンネルのＩＰヘッダを追加し、次いで、処理のために、第１の部分アップリンクデータを第２のユーザ機器プロトコルスタックに配信する。第２のユーザ機器プロトコルスタックは処理されたデータをＷＬＡＮ ＡＰに送り、したがって、ＷＬＡＮ ＡＰは、第１の部分アップリンクデータを基地局に送る。任意選択で、ユーザ機器は、ワイヤレスセルラーネットワークを使用することによって、アグリゲーション層で処理した後で出力される第２の部分アップリンクデータを基地局に送る。基地局は、第１の基地局プロトコルスタック内のアグリゲーション層で、第１の部分アップリンクデータと、ワイヤレスセルラーネットワークから直接的に受信された第２の部分アップリンクデータを収束させ、第１の部分アップリンクデータおよび第２の部分アップリンクデータを処理し、処理されたデータを第１の基地局プロトコルスタック内のアグリゲーション層の上位層に配信する（アグリゲーション層が第１の基地局プロトコルスタック内の最上層でない場合）。特定の実施形態は、基地側のための実施形態に類似しており、詳細は、本明細書では、この実施形態で説明されない。
【０１１２】
例では、ＵＥは、ＷＬＡＮ ＡＰを使用することによって基地局によって送られるデータを受信する。ＵＥは、ＷＬＡＮ ＡＰによって送られた第１の部分ダウンリンクデータをワイヤレスローカルエリアネットワーク通信様式で受信する。ＵＥはＩＰヘッダが削除された第１の部分ダウンリンクデータと、ワイヤレスセルラーネットワークから直接的に受信された第２の部分ダウンリンクデータとを第１のユーザ機器プロトコルスタック内のアグリゲーション層で収束させ、次いで、収束させられたデータを第１のユーザ機器プロトコルスタック内のアグリゲーション層の上位層（アグリゲーション層が第１の基地局プロトコルスタック内の最上層でない場合）に配信する。特定の実施形態は、基地側のための実施形態に類似しており、詳細は、本明細書では、この実施形態で説明されない。
【０１１３】
以下では、本発明の実施形態におけるデータ伝送方法に従って基地局およびＵＥによって実行されるデータ伝送の動作について別個に詳細に説明する。以下におけるデータ伝送方法についての説明を、より明確および包括的なものにするために、方法に関連するいくつかの概念が、以下のように最初に説明される。
【０１１４】
プロトコルデータユニット：通信システム内で、２つの隣接するプロトコル層間で送信されるデータは、隣接するプロトコル層内の上位層のプロトコルデータユニット（ｐｒｏｔｏｃｏｌ  ｄａｔａ  ｕｎｉｔ、略してＰＤＵ）と呼ばれる。例として、ＬＴＥプロトコルスタックが使用される。ヘッダ圧縮および暗号化などの処理がＰＤＣＰ層で実行された後で取得され、ＲＬＣ層に配信されるデータは、ＰＤＣＰ  ＰＤＵと呼ばれる。逆に、ＰＤＣＰ層に配信され、ＭＡＣ層から配信されてＲＬＣ層で受信されたデータがデータセグメント化、再組み立て、および並べ替えを受けた後で取得されるデータユニットは、ＰＤＣＰ  ＰＤＵとも呼ばれる。差別化を容易にし、ＷＬＡＮ ＡＰを使用することによるオフローディングプロセスの説明を容易にするために、基地局側では、第１の基地局プロトコルスタック内のアグリゲーション層で出力される第１の部分ダウンリンクプロトコルデータユニットは、第１のプロトコルデータユニットと呼ばれる。ユーザ機器側では、第１のユーザ機器プロトコルスタック内のアグリゲーション層で出力される第１の部分アップリンクプロトコルデータユニットは、第２のプロトコルデータユニットと呼ばれる。
【０１１５】
ＩＰヘッダ：ＩＰヘッダは、送信元アドレスと、宛先アドレスと、無線ベアラ情報とを含み得る。
【０１１６】
本発明のこの実施形態では、ＩＰヘッダがプロトコルデータユニットに追加されるとき、送信元アドレスおよび宛先アドレスが、ＵＥと基地局との間のＩＰトンネルを決定するために使用され得る。したがって、追加されたＩＰヘッダを有するプロトコルデータユニットは、送信元アドレスおよび宛先アドレスを使用することによって決定されるＩＰトンネル内で送信され得る。
【０１１７】
本発明のこの実施形態では、無線ベアラ情報は、プロトコルデータユニットが属する無線ベアラを示すために使用される。各無線ベアラに対して、１つのアグリゲーション層エンティティが、アグリゲーション層における無線ベアラの処理を担当するためにアグリゲーション層で生成され得、このアグリゲーション層エンティティは、アグリゲーション層のために定義された機能を完了する。たとえば、アグリゲーション層エンティティは、アグリゲーション層のために定義された、データを収束させる、およびデータを分割する機能を完了し得る。
【０１１８】
無線ベアラ情報は、無線ベアラ識別子または論理チャネル識別子を含み得る。
【０１１９】
任意選択で、無線ベアラ情報が論理チャネル識別子であるとき、論理チャネルは無線ベアラとマッピング関係にあるので、ＩＰトンネル受信端（たとえば、アップリンク送信中、ＩＰトンネル受信端は基地局である。ダウンリンク送信中、ＩＰトンネル受信端はユーザ機器である）は、論理チャネル識別子に従って無線ベアラ識別子を知り得る。例では、アグリゲーション層はＰＤＣＰ層である。無線ベアラ識別子に対応する無線ベアラは、ＰＤＣＰ層に対応する、またはこれとマッピング関係にある。具体的には、無線ベアラは、ＰＤＣＰ層においてＰＤＣＰエンティティと１対１の対応にある。すなわち、各ＰＤＣＰエンティティは１つの無線ベアラに対応し、ＰＤＣＰエンティティの量は、確立された無線ベアラの量を使用することによって決定される。
【０１２０】
ロケーション情報：ＩＰヘッダ内で、アグリゲーション層のプロトコルデータユニットに対応する無線ベアラ情報のロケーションを示すために使用される。
【０１２１】
特定の実装プロセスでは、ＩＰヘッダ内の無線ベアラ情報のロケーション情報は、通信プロトコルに従ってユーザ機器および基地局によってあらかじめ一致させられてよいし（たとえば、ユーザ機器は、プロトコルに従って一致させられる様式でロケーション情報を取得してよい）、または基地局によってユーザ機器に送られてよい。
【０１２２】
任意選択で、第１のプロトコルデータユニットのＩＰヘッダに対して、ロケーション情報は、第１のプロトコルデータユニットのＩＰヘッダ内で、第１のプロトコルデータユニットに対応する第１の無線ベアラ情報のロケーションを示すために使用される。第１の無線ベアラ情報は、第１のプロトコルデータユニットが属する無線ベアラを示すために使用され、第１の無線ベアラ識別子または第１の論理チャネル識別子を含む。第１の無線ベアラ情報が第１の論理チャネル識別子であるとき、論理チャネルは無線ベアラとマッピング関係にあるので、ＵＥは、第１の論理チャネル識別子に従って第１の無線ベアラ識別子を知り得る。
【０１２３】
任意選択で、第２のプロトコルデータユニットのＩＰヘッダに対して、ロケーション情報は、第２のプロトコルデータユニットのＩＰヘッダ内で、第２のプロトコルデータユニットに対応する第２の無線ベアラ情報のロケーションを示すために使用される。第２の無線ベアラ情報は、第２のプロトコルデータユニットが属する無線ベアラを示すために使用され、第２の無線ベアラ識別子または第２の論理チャネル識別子を含む。第２の無線ベアラ情報が第２の論理チャネル識別子であるとき、論理チャネルは無線ベアラとマッピング関係にあるので、基地局は、第２の論理チャネル識別子に従って第２の無線ベアラ識別子を知り得る。
【０１２４】
任意選択で、ＩＰヘッダは、論理チャネル識別子に対応する論理チャネルの優先情報、または無線ベアラ識別子に対応する無線ベアラの優先情報をさらに含み得る。この実施形態では、優先情報は、差別化サービスコードポイント（Ｄｉｆｆｅｒｅｎｔｉａｔｅｄ  Ｓｅｒｖｉｃｅｓ  Ｃｏｄｅ  Ｐｏｉｎｔ、略してＤＳＣＰ）によって示され得る。ＤＳＣＰは、ＩＰヘッダ内のサービスのタイプ（Ｔｙｐｅ  ｏｆ  Ｓｅｒｖｉｃｅ、略してＴＯＳ）バイト内に配置され得る。たとえば、データ伝送の優先順序は、６つのビットを使用することによりコード値を使用することによって差別化され得る。
【０１２５】
具体的には、ＷＬＡＮ ＡＰが、ＷｉＦｉプロトコルスタックを使用することによって実行されるデータ伝送プロセスにおいてサービス品質（Ｑｕａｌｉｔｙ  ｏｆ  Ｓｅｒｖｉｃｅ、略してＱｏＳ）送信をサポートすると仮定すると、ＱｏＳもサポートするユーザ機器は、ワイヤレスローカルエリアネットワークにアクセスするとき、ＱｏＳパラメータについてＷＬＡＮ ＡＰとネゴシエートする。任意選択で、ユーザ機器は、ＷＬＡＮ ＡＰがＱｏＳ送信をサポートするかどうかを基地局に報告し得る。
【０１２６】
ＷＬＡＮ ＡＰがＱｏＳダウンリンク送信をサポートするとき、基地局は、第１のプロトコルデータユニットが配置される論理チャネルの優先度または無線ベアラの優先度に従って、ＩＰヘッダ内のＤＳＣＰを埋める。ＤＳＣＰ値と無線ベアラの優先度または論理チャネルの優先度との間のマッピング関係は、プロトコルに従って、あらかじめ一致させられ得る。ＷＬＡＮ ＡＰ内のＷｉＦｉプロトコルスタックでは、ＩＰヘッダ内のＤＳＣＰ値は、ＷｉＦｉプロトコルスタック内のＭＡＣ層のユーザ優先度とマッピング関係にある。基地局によって送られた第１のプロトコルデータユニットを受信した後、ＷＬＡＮ ＡＰは、ＩＰヘッダ内のＤＳＣＰ値に従って、第１のプロトコルデータユニットを、ユーザ優先度に対応する送出バッファに入れる。異なるユーザ優先度を有する送出バッファ内のデータは、異なるスケジューリング優先度を有する。
【０１２７】
ＷＬＡＮ ＡＰがＱｏＳアップリンク送信をサポートするとき、ＵＥは、第２のプロトコルデータユニットが配置される無線ベアラの優先度、または論理チャネルの優先度に従って、ＩＰヘッダ内のＤＳＣＰを埋める。ＤＳＣＰ値と無線ベアラの優先度または論理チャネルの優先度との間のマッピング関係は、プロトコルに従って、あらかじめ一致させられ得る。ＷＬＡＮ ＡＰ内のＷｉＦｉプロトコルスタックでは、ＩＰヘッダ内のＤＳＣＰ値は、ＷｉＦｉプロトコルスタック内のＭＡＣ層のユーザ優先度とマッピング関係にある。ＵＥによって送られた第２のプロトコルデータユニットを受信した後、ＷＬＡＮ ＡＰは、ＩＰヘッダ内のＤＳＣＰ値に従って、第２のプロトコルデータユニットを、ユーザ優先度に対応する送出バッファに入れる。異なるユーザ優先度を有する送出バッファ内のデータは、異なるスケジューリング優先度を有する。
【０１２８】
たとえば、ＩＰヘッダはＩＰＶ４ヘッダである。図４は、本発明の実施形態によるＩＰＶ４ヘッダの概略図である。ＩＰＶ４ヘッダは、送信元アドレスと、宛先アドレスと、無線ベアラ情報と、ＤＳＣＰとを含み得る。無線ベアラ情報は、プロトコルに従って一致させられてもよいし、または基地局によって送られてもよく、ＩＰヘッダ内の、「バージョン」、「長さ」、または「サービスのタイプ」などのフィールド内に配置される。ＤＳＣＰは、ＩＰヘッダ内のサービスのタイプ（ＴＯＳ）フィールド内に配置され得る。ＩＰＶ４は、使用されるＩＰプロトコルのバージョン番号を識別するために使用される。
【０１２９】
ＩＰヘッダはＩＰＶ６ヘッダである。図５は、本発明の実施形態によるＩＰＶ６ヘッダの概略図である。ＩＰＶ６ヘッダは、送信元アドレスと、宛先アドレスと、無線ベアラ情報と、ＤＳＣＰとを含み得る。無線ベアラ情報は、ＩＰヘッダ内の、「バージョン」または「フローラベル」などのフィールド内に配置される。ＤＳＣＰは、ＩＰヘッダ内のトラフィッククラス（Ｔｒａｆｆｉｃ  Ｃｌａｓｓ）フィールド内に配置され得る。ＩＰＶ６は、使用されるＩＰプロトコルのバージョン番号を識別するために使用される。
【０１３０】
任意選択で、無線ベアラのＱｏＳを保証するために、以下の処理が、ダウンリンクデータおよびアップリンクデータに対してさらに実行されてよい。
【０１３１】
ダウンリンクデータは、ワイヤレスセルラーネットワークを使用することによってＵＥに直接的に送信されてよいし、またはＷＬＡＮ ＡＰネットワークを使用することによってＵＥに送信されてよいので、ＷＬＡＮネットワークを使用することによって送信される第１の部分ダウンリンクデータ内のいくつかのデータパケットのサービス品質（Ｑｕａｌｉｔｙ  ｏｆ  Ｓｅｒｖｉｃｅ、略してＱｏＳ）が要件を満たすことができないとき、無線ベアラのＱｏＳは、機構を使用することによって、たとえば、二次ＷＬＡＮ ＡＰを使用する、または第１の部分ダウンリンクデータ内のデータパケットをワイヤレスセルラーネットワークに切り換える、またはＷＬＡＮ ＡＰにオフロードされるダウンリンクデータのデータ量を減少させることによって、保証され得る。
【０１３２】
アップリンクデータは、ワイヤレスセルラーネットワークを使用することによって基地局に直接的に送信されてよいし、またはＷＬＡＮネットワークを使用することによって基地局に送信されてよいので、ＷＬＡＮネットワークを使用することによって送信される第１の部分アップリンクデータ内のいくつかのデータパケットのサービス品質（Ｑｕａｌｉｔｙ  ｏｆ  Ｓｅｒｖｉｃｅ、略してＱｏＳ）が要件を満たすことができないとき、無線ベアラのＱｏＳは、機構を使用することによって、たとえば、二次ＷＬＡＮ ＡＰを使用する、または第１の部分アップリンクデータ内のデータパケットをワイヤレスセルラーネットワークに切り換える、またはＷＬＡＮ ＡＰにオフロードされるアップリンクデータのデータ量を減少させることによって、保証され得る。
【０１３３】
図６は、本発明の実施形態によるデータ伝送方法の概略フローチャートを示す。この方法は、通信システム内の基地局によって実行される。この通信システムは、ＷＬＡＮ ＡＰとユーザ機器とをさらに含み、ＩＰトンネルが、ＷＬＡＮ ＡＰを使用することによって、基地局とユーザ機器との間に設定される。この方法は、以下を含む。
【０１３４】
６０１。基地局は、要求情報、ワイヤレスローカルエリアネットワークアクセスポイントＷＬＡＮ ＡＰの識別子、および基地局の第１のＩＰアドレスをユーザ機器に送り、要求情報は、ＷＬＡＮ ＡＰを使用することによって基地局へのマルチストリームアグリゲーションデータ伝送を実行することをユーザ機器に要求するために使用される。
【０１３５】
６０２。基地局は、ユーザ機器によって送られた、ＷＬＡＮ ＡＰによってユーザ機器に割り当てられた第２のＩＰアドレスおよび確認情報を受信し、確認情報は、ユーザ機器が、ＷＬＡＮ ＡＰを使用することによって基地局へのマルチストリームアグリゲーションデータ伝送を実行することを確認するために使用される。
【０１３６】
６０３。基地局は、ＷＬＡＮ ＡＰを使用することによって、およびＩＰトンネルを通して、ユーザ機器へのマルチストリームアグリゲーションデータ伝送を実行し、ＩＰトンネルは、第１のＩＰアドレスおよび第２のＩＰアドレスを使用することによって決定される。
【０１３７】
任意選択で、基地局が、ＷＬＡＮ ＡＰを使用することによってオフローディングを実行することを決定するとき、基地局は、要求情報、ＷＬＡＮ ＡＰの識別子、および基地局の第１のＩＰアドレスをＵＥに送信する。ＷＬＡＮ ＡＰを使用することによって基地局によってオフローディングを実行することを決定するために、以下の可能な実装様式が含まれる。
【０１３８】
可能な実装様式では、基地局は、ＵＥの加入情報に従って、ＷＬＡＮ ＡＰ上で測定を実行し、測定結果を基地局に報告するようにＵＥに命令する。次いで、基地局は、測定結果（たとえば、ＵＥが、測定に従って、ＷＬＡＮ ＡＰに対応するＷｉＦｉネットワークが比較的強い信号を有することを見つける）に従って、ＷＬＡＮ ＡＰを使用することによってオフローディングを実行することを決定する。
【０１３９】
別の可能な実装様式では、基地局は、ＷＬＡＮ ＡＰのネットワーク負荷および分布（たとえば、ＷＬＡＮ ＡＰが、比較的重いネットワーク負荷を有するエリア内に分布される）に従って、ＷＬＡＮ ＡＰを使用することによってオフローディングを実行することを決定する。
【０１４０】
任意選択で、基地局によってユーザ機器に送られた、要求情報、ＷＬＡＮ ＡＰの識別子、および基地局の第１のＩＰアドレスは、基地局によってユーザ機器に送られるさまざまなメッセージ内で運ばれ得る。特定の実装プロセスでは、要求情報、ＷＬＡＮ ＡＰの識別子、および基地局の第１のＩＰアドレスは同じメッセージ内で運ばれてもよいし、または要求情報、ＷＬＡＮ ＡＰの識別子、および基地局の第１のＩＰアドレスは複数のメッセージ内で運ばれてもよい。本発明のこの実施形態では、前述の要求情報、ＷＬＡＮ ＡＰの識別子、および基地局の第１のＩＰアドレスを運ぶメッセージの量およびタイプに対する制限は設定されず、前述の異なるメッセージを送る順序に対する制限も設定されない。
【０１４１】
任意選択で、ＷＬＡＮ ＡＰの前述の識別子は、ＷＬＡＮ ＡＰの基本サービスセット識別子（Ｂａｓｉｃ  Ｓｅｒｖｉｃｅ  Ｓｅｔ  Ｉｄｅｎｔｉｆｉｅｒ、略してＢＳＳＩＤ）であってもよいし、またはサービスセット識別子（Ｓｅｒｖｉｃｅ  Ｓｅｔ  Ｉｄｅｎｔｉｆｉｅｒ、略してＳＳＩＤ）であってもよい。
【０１４２】
基本サービスセット（基本サービスセット、略してＢＳＳ）は、ＷＬＡＮネットワークの基本構成要素であり、一般に、アクセスポイントＡＰと、複数のワークステーション（Ｓｔａｔｉｏｎ、略してＳＴＡ）とを含むことが理解されるべきである。拡張サービスセット（Ｅｘｔｅｎｄｅｄ  Ｓｅｒｖｉｃｅ  ｓｅｔ、略してＥＳＳ）は複数のＢＳＳを含む。各ＢＳＳは、一意の識別子（Ｉｄｅｎｔｉｔｙ、略してＩＤ）、すなわち、ＢＳＳ  ＩＤまたはＢＳＳ識別子を有する。ＢＳＳは一般に、アクセスポイントＡＰを有するので、ＢＳＳ識別子は、一般にアクセスポイントＡＰの識別子であり、たとえば、ＡＰのメディアアクセス制御（Ｍｅｄｉａ  Ａｃｃｅｓｓ  Ｃｏｎｔｒｏｌ、略してＭＡＣ）アドレスであってよい。
【０１４３】
ＷＬＡＮネットワークの場合、ネットワーク側サービングデバイスはＡＰであり、ユーザ側端末デバイスはＳＴＡであり、ワイヤレスセルラーネットワークの場合、ネットワーク側サービングデバイスは基地局であり、ユーザ側端末デバイスはＵＥであることがさらに理解されるべきである。本発明のこの実施形態においてＷＬＡＮおよびワイヤレスセルラーネットワークによって形成される異種ネットワークシナリオでは、ユーザ側端末デバイスは、ＵＥまたはＳＴＡと呼ばれることがあり、２つのネットワークのサービスを受信することができる。説明を簡単にするために、ユーザ側端末デバイスはＵＥと総称される。
【０１４４】
任意選択で、ＵＥは、ＷＬＡＮ ＡＰの識別子に従ってＷＬＡＮ ＡＰに認証要求を送る。認証された後、ＵＥは、確認情報およびＷＬＡＮ ＡＰによってユーザ機器に割り当てられた第２のＩＰアドレスを基地局に送る。
【０１４５】
ステップ６０２では、ＵＥによって基地局に送られる第２のＩＰアドレスは、ＷＬＡＮ ＡＰによって割り当てられマルチストリームアグリゲーションに使用されるＩＰアドレスである。たとえば、ＵＥによってＷＬＡＮ ＡＰに送られるアップリンクデータの場合、ＷＬＡＮ ＡＰは、コンバージェンスのために基地局に、第２のＩＰアドレスにおいてＵＥによって送られたデータを配信する。別の例では、基地局によってＷＬＡＮ ＡＰに送られるダウンリンクデータの場合、ＷＬＡＮ ＡＰは、コンバージェンスのために基地局によって送られ宛先アドレスが第２のＩＰアドレスであるデータをＵＥに送信する。
【０１４６】
ステップ６０３では、ＷＬＡＮ ＡＰを使用することによって、およびＩＰトンネルを通して、基地局とＵＥによって実行されるマルチストリームアグリゲーションデータ伝送は、アップリンクデータ伝送と、ダウンリンクデータ伝送とを含み得る。解釈および説明を容易にするために、アップリンクデータおよびダウンリンクデータは、本発明では限定されるものではないが、以下では、プロトコルデータユニットと総称される。
【０１４７】
任意選択で、本発明のこの実施形態におけるダウンリンク送信プロセスでは、基地局は、基地局プロトコルスタック内のアグリゲーション層で生成された第１のプロトコルデータユニットにＩＰヘッダを追加し、ＷＬＡＮ ＡＰを使用することによって、およびＩＰトンネルを通して、追加されたＩＰヘッダを有する第１のプロトコルデータユニットをＵＥに送る。基地局プロトコルスタックは、第１の基地局プロトコルスタックであってよい。
【０１４８】
任意選択で、第１のプロトコルデータユニットに追加されたＩＰヘッダ内で、送信元アドレスは第１のＩＰアドレスであり、宛先アドレスは第２のＩＰアドレスである。
【０１４９】
任意選択で、前述のＩＰヘッダは、第１のプロトコルデータユニットに対応しロケーション情報に従って基地局によって追加された無線ベアラ情報を含む。この無線ベアラ情報は、ＩＰヘッダが削除された第１のプロトコルデータユニットを処理するように無線ベアラ情報とマッピング関係にあってユーザ機器プロトコルスタック内にあるアグリゲーション層エンティティに命令するために、ユーザ機器によって使用される。本発明のこの実施形態では、アグリゲーション層は、アグリゲーション層エンティティを含み得る。このアグリゲーション層エンティティは、無線ベアラ情報と１対１の対応である、または指定された論理チャネルに対応する。したがって、無線ベアラ情報は、ＩＰヘッダが削除された第１のプロトコルデータユニットを処理するように無線ベアラ情報とマッピング関係にあってユーザ機器プロトコルスタック内にあるアグリゲーション層エンティティに命令するために使用される。
【０１５０】
特定の実装プロセスでは、基地局は、追加されたＩＰヘッダを有する第１のプロトコルデータユニットをＷＬＡＮ ＡＰに送る。追加されたＩＰヘッダを有する第１のプロトコルデータユニットを受信した後、ＷＬＡＮ ＡＰは、ＩＰヘッダ内の宛先アドレス、すなわち、ＷＬＡＮ ＡＰによってＵＥに割り当てられた第２のＩＰアドレスを取得する。第２のＩＰアドレスはＵＥのアドレスとマッピング関係にあるので、ＷＬＡＮ ＡＰは、第２のＩＰアドレスによりＵＥのＭＡＣアドレスなどのアドレスを決定し、ＷｉＦｉプロトコルを使用することによってＵＥに第１のプロトコルデータユニットを送り得る。したがって、ＷＬＡＮ ＡＰは、追加されたＩＰヘッダを有する第１のプロトコルデータユニットに対して特殊な処理を実行することを必要とせず、ＷｉＦｉプロトコルスタックに応じて処理を実行することのみを必要とし、ＷＬＡＮ ＡＰは改善されることも必要としない。前述の特殊な処理は、ＷＬＡＮ ＡＰ内のプロトコルスタックが変化する、たとえば、ＷｉＦｉプロトコルスタックが使用されないとき、限定されるものではないがマッピング、変換などを含み、ＷｉＦｉプロトコルスタックの処理様式と異なる、追加されたＩＰヘッダを有する第１のプロトコルデータユニットに対してＷＬＡＮ ＡＰによって実行される処理として理解されてもよいし、またはＷＬＡＮ ＡＰと基地局によって一致させられた命令に応じて追加されたＩＰヘッダを有する第１のプロトコルデータユニットに対してＷＬＡＮ ＡＰによって実行されることを必要とする処理として理解されてもよい。
【０１５１】
任意選択で、本発明のこの実施形態におけるアップリンク送信中、基地局は、ＩＰトンネルを通して、ＷＬＡＮ ＡＰを使用することによってユーザ機器によって送られた第２のプロトコルデータユニットを受信し、第２のプロトコルデータユニットのＩＰヘッダを削除して、ＩＰヘッダが削除された第２のプロトコルデータユニットを処理するように基地局プロトコルスタック内のアグリゲーション層に命令し、このＩＰヘッダは、ユーザ機器プロトコルスタック内のアグリゲーション層で生成された第２のプロトコルデータユニットにユーザ機器によって追加されたものである。基地局プロトコルスタックは、第１の基地局プロトコルスタックであってよい。
【０１５２】
任意選択で、第２のプロトコルデータユニットのＩＰヘッダ内で、送信元アドレスは第２のＩＰアドレスであり、宛先アドレスは第１のＩＰアドレスである。
【０１５３】
任意選択で、ＩＰトンネルを通して、ＷＬＡＮ ＡＰを使用することによってユーザ機器によって送られた第２のプロトコルデータユニットを受信した後、基地局は、ロケーション情報に従って第２のプロトコルデータユニットのＩＰヘッダから、第２のプロトコルデータユニットに対応する無線ベアラ情報を取得し、第２のプロトコルデータユニットのＩＰヘッダを削除し、ＩＰヘッダが削除された第２のプロトコルデータユニットを処理するように、無線ベアラ情報とマッピング関係にあって基地局プロトコルスタック内にあるアグリゲーション層エンティティに命令する。本発明のこの実施形態では、アグリゲーション層は、アグリゲーション層エンティティを含み得る。このアグリゲーション層エンティティは、無線ベアラ情報と１対１の対応である、または指定された論理チャネルに対応する。したがって、無線ベアラ情報は、ＩＰヘッダが削除された第１のプロトコルデータユニットを処理するように無線ベアラ情報とマッピング関係にあって基地局プロトコルスタック内にあるアグリゲーション層エンティティに命令するために使用される。
【０１５４】
特定の実装プロセスでは、ＵＥは、追加されたＩＰヘッダを有する第２のプロトコルデータユニットをＷＬＡＮ ＡＰに送る。追加されたＩＰヘッダを有する第２のプロトコルデータユニットを受信した後、ＷＬＡＮ ＡＰは、ＩＰヘッダ内の宛先アドレス、すなわち、基地局によってＵＥに送られた基地局の第１のＩＰアドレスに従って、第２のプロトコルデータユニットを基地局に直接的に転送し得る。ＷＬＡＮ ＡＰは、追加されたＩＰヘッダを有する第２のプロトコルデータユニットを処理することを必要とせず、ＷＬＡＮ ＡＰは改善されることも必要としない。
【０１５５】
任意選択で、基地局は、ＷＬＡＮ ＡＰにオフロードされたプロトコルデータユニットに対して差別化処理を実行する。様式では、ＷＬＡＮ ＡＰによって基地局に送られたデータのＩＰヘッダ内の宛先アドレスが基地局の第１のＩＰアドレスでないとき、基地局は、インターネットにデータを送信する、たとえば、ルータまたは宛先アドレスによって示される任意のサーバにデータを送信する。前述のデータは、ＷｉＦｉ専用データであってもよいし、またはＷｉＦｉ認証などのシグナリングであってもよい。別の様式では、ＷＬＡＮ ＡＰによって基地局に送られたデータのＩＰヘッダ内の宛先アドレスが基地局の第１のＩＰアドレスであるとき、基地局は、データのＩＰヘッダを削除して、ＩＰヘッダが削除されたデータを処理するように基地局プロトコルスタック内のアグリゲーション層に命令する。
【０１５６】
任意選択で、前述の基地局プロトコルスタック内のアグリゲーション層は、ワイヤレスセルラーネットワークを使用することによって基地局によってユーザ機器に送信されるプロトコルデータユニットから第１のプロトコルデータユニットを分割する、またはＩＰヘッダが削除された第２のプロトコルデータユニットとワイヤレスセルラーネットワークを使用することによってユーザ機器によって基地局に送信されたプロトコルデータユニットとを収束させるために使用される。
【０１５７】
本発明のこの実施形態において提供されるデータ伝送方法によれば、基地局は、コンバージェンスポイントおよび分割ポイントとして使用される。基地局は、ワイヤレスローカルエリアネットワーク内のネットワークリンクの品質変化を受けやすく、これは、ＥＰＣがコンバージェンスポイントおよび分割ポイントとして使用されるとき、サービス継続性を保証し、ユーザ体験を改善し、ワイヤレスローカルエリアネットワーク内のネットワークリンクの品質変化に対するＥＰＣの非感受性によって引き起こされるサービス不継続を回避する。
【０１５８】
図７は、本発明の別の実施形態によるデータ伝送方法の概略フローチャートである。この方法は、通信システム内のユーザ機器によって実行される。この通信システムは、基地局とＷＬＡＮ ＡＰとをさらに含み、ＩＰトンネルが、ＷＬＡＮ ＡＰを使用することによって基地局とユーザ機器との間に設定される。この方法は、以下を含む。
【０１５９】
７０１。ユーザ機器は、基地局によって送られた、要求情報、ワイヤレスローカルエリアネットワークアクセスポイントＷＬＡＮ ＡＰの識別子、および基地局の第１のＩＰアドレスを受信し、要求情報は、ＷＬＡＮ ＡＰを使用することによって基地局へのマルチストリームアグリゲーションデータ伝送を実行することをユーザ機器に要求するために使用される。
【０１６０】
７０２。ユーザ機器は、ＷＬＡＮ ＡＰ  によってユーザ機器に割り当てられた第２のＩＰアドレスおよび確認情報を基地局に送信し、確認情報は、ユーザ機器がＷＬＡＮ ＡＰを使用することによって基地局へのマルチストリームアグリゲーションデータ伝送を実行することを確認するために使用される。
【０１６１】
７０３。ユーザ機器は、ＷＬＡＮ ＡＰを使用することによって、およびＩＰトンネルを通して、基地局へのマルチストリームアグリゲーションデータ伝送を実行し、ＩＰトンネルは、第１のＩＰアドレスおよび第２のＩＰアドレスを使用することによって決定される。
【０１６２】
任意選択で、基地局によって送られた、要求情報、ＷＬＡＮ ＡＰの識別子、および基地局の第１のＩＰアドレスを受信した後、ＵＥは、通信プロトコルに従ってＷＬＡＮ ＡＰにアクセスする。ＵＥは、ビーコン（ｂｅａｃｏｎ）フレームをリッスンするまたはプローブ（Ｐｒｏｂｅ）フレームを送る様式でＷＬＡＮ ＡＰの識別子に対応するＷＬＡＮ ＡＰを最初に発見し、ＷＬＡＮ ＡＰにアクセスする。ＵＥがＷＬＡＮ ＡＰにアクセスする様式は、たとえば、本発明では限定されるものではないが、認証を完了するための認証およびＷＬＡＮ ＡＰとのアソシエーション（Ａｓｓｏｃｉａｔｉｏｎ）などの実行プロセスであってよい。
【０１６３】
特定の実装プロセスでは、基地局が要求情報をＵＥに送り、ＵＥが確認情報を基地局に送信した後、ＵＥが、基地局に送られることになるアップリンクデータ、すなわち、この実施形態では第２のプロトコルデータユニットを有する場合、ＵＥは、追加されたＩＰヘッダを有する第２のプロトコルデータユニットをＷＬＡＮ ＡＰに送る。
【０１６４】
追加されたＩＰヘッダを有する第２のプロトコルデータユニットを受信した後、ＷＬＡＮ ＡＰは、ＩＰヘッダ内の宛先アドレス、すなわち、基地局によってＵＥに送られた基地局の第１のＩＰアドレスに従って、第２のプロトコルデータユニットを基地局に直接的に転送する。ＷＬＡＮ ＡＰは、追加されたＩＰヘッダを有する第２のプロトコルデータユニットに対して特殊な処理を実行することを必要とせず（すなわち、第２のプロトコルデータユニットは一般的なＩＰパケットとして処理される）、ＷＬＡＮ ＡＰは改善されることも必要としない。
【０１６５】
この実施形態では、ワイヤレスセルラーネットワークおよびワイヤレスローカルエリアネットワーク内のＵＥの通信において生成されるあらゆるコストは、基地局またはモバイル通信ネットワーク内のコアネットワークデバイスによって計算される。しかしながら、認証サーバを使用することによって認証がＵＥ上で実行される場合、認証サーバも、ワイヤレス通信プロセスにおいてＵＥによって生成されるコストを計算してよい。認証サーバはワイヤレス通信システム内の重要な構成要素であり、たとえばユーザのアクセス要求を処理するために使用され得るサーバプログラムを有するＡＡＡ（認証、認可、アカウンティング、英語：Ａｕｔｈｅｎｔｉｃａｔｉｏｎ，Ａｕｔｈｏｒｉｚａｔｉｏｎ，Ａｃｃｏｕｎｔｉｎｇ）サーバとさらに呼ばれることがある。認証サーバの主な機能は、たとえば、どのユーザがＷＬＡＮネットワークにアクセスするまたはアクセス権を取得することができるか、どのサービスがアクセス権を有するユーザによって取得可能か、およびネットワークリソースを使用するユーザにどのようにして課金するかを管理することである。
【０１６６】
したがって、認証サーバによって繰り返される課金は、以下の様式で回避され得る。
【０１６７】
第１の様式では、ＳＡＥ（対等者の同時認証、Ｓｉｍｕｌｔａｎｅｏｕｓ  ａｕｔｈｅｎｔｉｃａｔｉｏｎ  ｏｆ  ｅｑｕａｌｓ）認証またはＰＳＫ（事前共有鍵、Ｐｒｅ−ｓｈａｒｅｄ  Ｋｅｙ）認証がＵＥとＷＬＡＮ ＡＰとの間で実行される。ＳＡＥ認証またはＰＳＫ認証では、基地局は、運用保守管理（Ｏｐｅｒａｔｉｏｎ  Ａｄｍｉｎｉｓｔｒａｔｉｏｎ  ａｎｄ  Ｍａｉｎｔｅｎａｎｃｅ、略してＯＡＭ）などの様式で初期鍵を取得し、ＵＥに初期鍵を通知する。ＵＥとＷＬＡＮ ＡＰとの間の認証および鍵導出は、初期鍵を使用することによって実行される、すなわち、認証は、認証サーバと対話することを必要とすることなく実施可能である。
【０１６８】
第２の様式では、拡張認証プロトコル−認証および鍵共有（Ｅｘｔｅｎｓｉｂｌｅ  Ａｕｔｈｅｎｔｉｃａｔｉｏｎ  Ｐｒｏｔｏｃｏｌ−Ａｕｔｈｅｎｔｉｃａｔｉｏｎ  ａｎｄ  Ｋｅｙ  Ａｇｒｅｅｍｅｎｔ、略してＥＡＰ−ＡＫＡ）認証がＵＥとＷＬＡＮ ＡＰとの間で実行され、認証は、認証サーバを使用することによって実施される。この場合、基地局またはＵＥが、ＷＬＡＮ ＡＰを使用することによってオフローディングを実行することを決定するとき、基地局またはＵＥは、ワイヤレス通信プロセスにおいてＵＥによって生成されるコストを課金しないように認証サーバに命令する。たとえば、基地局またはＵＥは、命令メッセージを認証サーバに送る。この命令メッセージはＵＥの識別子を含み、ワイヤレス通信プロセスにおいてＵＥの識別子に対応するＵＥによって生成されるコストを課金しないように認証サーバに命令するために使用される。
【０１６９】
第３の様式では、基地局は認証サーバの役割を果たす、すなわち、基地局は認証サーバの機能を有する。さらに、ＥＡＰ−ＡＫＡ認証がＵＥと基地局との間で実行される。
【０１７０】
任意選択で、本発明のこの実施形態におけるダウンリンク送信プロセスでは、ＷＬＡＮ ＡＰを使用することによって、およびＩＰトンネルを通して、基地局によって送られた第１のプロトコルデータユニットを受信した後、ＵＥは、第１のプロトコルデータユニットのＩＰヘッダを削除し、ＩＰヘッダが削除された第１のプロトコルデータユニットを処理するようにユーザ機器プロトコルスタック内のアグリゲーション層に命令し、このＩＰヘッダは、基地局プロトコルスタック内のアグリゲーション層で生成されたプロトコルデータユニットに基地局によって追加されたものである。ユーザ機器プロトコルスタックは、第１のユーザ機器プロトコルスタックであってよい。
【０１７１】
任意選択で、第１のプロトコルデータユニットに追加されたＩＰヘッダ内で、送信元アドレスは第１のＩＰアドレスであり、宛先アドレスは第２のＩＰアドレスである。
【０１７２】
任意選択で、ユーザ機器は、ＷＬＡＮ ＡＰを使用することによって、およびＩＰトンネルを通して、基地局によって送られた第１のプロトコルデータユニットを受信し、ロケーション情報に従って第１のプロトコルデータユニットのＩＰヘッダから、第１のプロトコルデータユニットに対応する無線ベアラ情報を取得し、第１のプロトコルデータユニットのＩＰヘッダを削除し、ＩＰヘッダが削除された第１のプロトコルデータユニットを処理するように、無線ベアラ情報とマッピング関係にあってユーザ機器プロトコルスタック内にあるアグリゲーション層エンティティに命令する。本発明のこの実施形態では、アグリゲーション層は、アグリゲーション層エンティティを含み得る。このアグリゲーション層エンティティは、無線ベアラ情報と１対１の対応である、または指定された論理チャネルに対応する。したがって、無線ベアラ情報は、ＩＰヘッダが削除された第１のプロトコルデータユニットを処理するように無線ベアラ情報とマッピング関係にあってユーザ機器プロトコルスタック内にあるアグリゲーション層エンティティに命令するために使用される。
【０１７３】
特定の実装プロセスでは、基地局は、追加されたＩＰヘッダを有する第１のプロトコルデータユニットを、ＩＰトンネルを使用することによってＷＬＡＮ ＡＰに送る。追加されたＩＰヘッダを有する第１のプロトコルデータユニットを受信した後、ＷＬＡＮ ＡＰは、ＩＰヘッダ内の宛先アドレス、すなわち、ＷＬＡＮ ＡＰによってＵＥに割り当てられた第２のＩＰアドレスに従ってＵＥのＭＡＣアドレスを決定し、追加されたＩＰヘッダを有する第１のプロトコルデータユニットを、ＷｉＦｉプロトコルを使用することによってＵＥにオフロードする。したがって、ＷＬＡＮ ＡＰは、追加されたＩＰヘッダを有する第１のプロトコルデータユニットに対して特殊な処理を実行することを必要とせず、ＷＬＡＮ ＡＰは改善されることを必要としない。
【０１７４】
追加されたＩＰヘッダを有しＷＬＡＮ ＡＰによってオフロードされた第１のプロトコルデータユニットを受信した後、ＵＥは、第１のプロトコルデータユニットのＩＰヘッダを削除して、ＩＰヘッダが削除された第１のプロトコルデータユニットを処理するように第１のユーザ機器プロトコルスタック内のアグリゲーション層に命令する。任意選択で、ユーザ機器は、ＷＬＡＮ ＡＰによってオフロードされたデータに対して差別化処理を実行する。宛先ＩＰアドレスがユーザ機器の第２のＩＰアドレスでないデータの場合、ユーザ機器は、処理するために第１のユーザ機器プロトコルスタック内のアグリゲーション層にデータを配信しない。
【０１７５】
任意選択で、本発明のこの実施形態におけるアップリンク送信プロセスでは、ＵＥは、ユーザ機器プロトコルスタック内のアグリゲーション層で生成された第２のプロトコルデータユニットにＩＰヘッダを追加し、ＷＬＡＮ ＡＰを使用することによって、およびＩＰトンネルを通して、追加されたＩＰヘッダを有する第２のプロトコルデータユニットを基地局に送る。
【０１７６】
任意選択で、第２のプロトコルデータユニットに追加されたＩＰヘッダ内で、送信元アドレスは第２のＩＰアドレスであり、宛先アドレスは第１のＩＰアドレスである。
【０１７７】
任意選択で、前述のＩＰヘッダは、第２のプロトコルデータユニットに対応しロケーション情報に従ってユーザ機器によって追加された無線ベアラ情報を含む。この無線ベアラ情報は、ＩＰヘッダが削除された第２のプロトコルデータユニットを処理するように無線ベアラ情報とマッピング関係にあって基地局プロトコルスタック内にあるアグリゲーション層エンティティに命令するために、基地局によって使用される。本発明のこの実施形態では、アグリゲーション層は、アグリゲーション層エンティティを含み得る。このアグリゲーション層エンティティは、無線ベアラ情報と１対１の対応である、または指定された論理チャネルに対応する。したがって、無線ベアラ情報は、ＩＰヘッダが削除された第２のプロトコルデータユニットを処理するように無線ベアラ情報とマッピング関係にあって基地局プロトコルスタック内にあるアグリゲーション層エンティティに命令するために使用される。
【０１７８】
任意選択で、前述のユーザ機器プロトコルスタック内のアグリゲーション層は、ワイヤレスセルラーネットワークを使用することによってユーザ機器によって基地局に送信されるプロトコルデータユニットから第２のプロトコルデータユニットを分割する、またはＩＰヘッダが削除された第１のプロトコルデータユニットとワイヤレスセルラーネットワークを使用することによって基地局によってユーザ機器に送信されたプロトコルデータユニットとを収束させるために使用される。
【０１７９】
本発明のこの実施形態において提供されるデータ伝送方法によれば、データオフローディングプロセスにおいて、基地局は、コンバージェンスポイントおよび分割ポイントとして使用される。基地局は、ワイヤレスローカルエリアネットワーク内のネットワークリンクの品質変化を受けやすく、これは、ＥＰＣがコンバージェンスポイントおよび分割ポイントとして使用されるとき、サービス継続性を保証し、ユーザ体験を改善し、ワイヤレスローカルエリアネットワーク内のネットワークリンクの品質変化に対するＥＰＣの非感受性によって引き起こされるサービス不継続を回避する。
【０１８０】
以下では、図３に示されるプロトコルスタックを参照しながら図６および図７に示される実施形態について詳細に説明するために、ＰＤＣＰ層がアグリゲーション層である例を使用する。
【０１８１】
以下では、主に、基地局がＷＬＡＮ ＡＰを使用することによって、およびＩＰトンネルを通して、ＵＥへのダウンリンクデータをオフロードする送信プロセスについて説明する。
【０１８２】
基地局は、第１の基地局プロトコルスタック内のＰＤＣＰ層の第１のプロトコルデータユニットにＩＰヘッダを追加する。このＩＰヘッダは、第１のプロトコルデータユニットに対応しロケーション情報に従って基地局によって追加された第１の無線ベアラ情報を含む。ＩＰヘッダ内では、送信元アドレスは第１のＩＰアドレスであり、宛先アドレスは第２のＩＰアドレスである。次いで、基地局は、第２の基地局プロトコルスタック内のＬ２層およびＬ１層を使用することによって、ＷＬＡＮ ＡＰ内の第１のＷＬＡＮ ＡＰプロトコルスタック内のＬ１層に追加されたＩＰヘッダを有する第１のプロトコルデータユニットを送信する。次いで、追加されたＩＰヘッダを有する第１のプロトコルデータユニットが、第１のＷＬＡＮ ＡＰプロトコルスタック内のＬ１層およびＬ２層で処理した後で復元され、処理するために第２のＷＬＡＮ ＡＰプロトコルスタックに配信される。
【０１８３】
第２のＷＬＡＮ ＡＰプロトコルスタックは、トラフィック制御などの機能を実施するために、取得された追加されたＩＰヘッダを有する第１のプロトコルデータユニットにＬＬＣヘッダを追加し、ＩＰヘッダ内の宛先アドレスに従って、宛先アドレスが、ＷＬＡＮ ＡＰによってＵＥに割り当てられた第２のＩＰアドレスであるかどうかを決定する。宛先アドレスが第２のＩＰアドレスであることが決定された場合、スケジューリング、アドレス指定、およびＱｏＳなどの機能を実施するために、第２のＷＬＡＮ ＡＰ内のＭＡＣ層を使用することによって、追加されたＩＰヘッダを有する前述の第１のプロトコルデータユニットにＭＡＣヘッダがさらに追加される。ＭＡＣプロトコルデータユニット（ＭＡＣ  Ｐｒｏｔｏｃｏｌ  Ｄａｔａ  Ｕｎｉｔ、略してＭＰＤＵ）が生成され、次いで、第２のＷＬＡＮ ＡＰプロトコルスタック内のＰＨＹ層を使用することによって、ＵＥにおける第２のユーザ機器プロトコルスタック内のＰＨＹ層に送信される。
【０１８４】
前述のＭＰＤＵがＵＥにおいて第２のユーザ機器プロトコルスタック内のＰＨＹ層で受信された後、追加されたＩＰヘッダを有する第１のプロトコルデータユニットを取得するために、ＭＡＣヘッダおよびＬＬＣヘッダが、第２のユーザ機器プロトコルスタック内のＭＡＣ層およびＬＬＣ層を使用することによって連続して削除される。次いで、ＵＥが、ＩＰヘッダ内の送信元ＩＰアドレスに従って、第１のプロトコルデータユニットが、基地局の第１のＩＰアドレスから送信されたデータであるかどうか、すなわち、第１のプロトコルデータユニットが、ＩＰトンネルを通して送信されたデータであるかどうかを決定する。前述の第１のプロトコルデータユニットが、ＩＰトンネルを通して送信されたデータであることを決定すると、ＵＥは、第１のプロトコルデータユニットのＩＰヘッダを削除し、ロケーション情報に従って第１のプロトコルデータユニットのＩＰヘッダから、第１のプロトコルデータユニットに対応する第１の無線ベアラ情報を取得して、ＩＰヘッダが削除された第１のプロトコルデータユニットを処理するように、第１の無線ベアラ情報に対応し第１のユーザ機器プロトコルスタック内のＰＤＣＰ層内にあるＰＤＣＰエンティティに命令する。
【０１８５】
以下では、主に、ＵＥがＷＬＡＮ ＡＰを使用することによって、およびＩＰトンネルを通して、基地局へのアップリンクデータをオフロードする送信プロセスについて説明する。
【０１８６】
ＵＥは、第１のユーザ機器プロトコルスタック内のＰＤＣＰ層の第２のプロトコルデータユニットにＩＰヘッダを追加する。このＩＰヘッダは、第２のプロトコルデータユニットに対応しロケーション情報に従ってＵＥによって追加された第２の無線ベアラ情報を含む。ＩＰヘッダ内では、送信元アドレスは第２のＩＰアドレスであり、宛先アドレスは第１のＩＰアドレスである。次いで、ＵＥにおける第２のユーザ機器プロトコルスタックは、追加されたＩＰヘッダを有する第１のプロトコルデータユニットにＬＬＣヘッダを追加する。ＵＥにおける第２のユーザ機器プロトコルスタック内のＭＡＣ層では、ＩＰヘッダ内の宛先アドレスに従ってＭＡＣヘッダが第２のプロトコルデータユニットに追加され、ＭＡＣプロトコルデータユニット（ＭＡＣ  Ｐｒｏｔｏｃｏｌ  Ｄａｔａ  Ｕｎｉｔ、略してＭＰＤＵ）が生成される。次いで、ＭＡＣプロトコルデータユニットが、第２のユーザ機器プロトコルスタック内のＰＨＹ層を使用することによって、ＷＬＡＮ ＡＰにおける第２のＷＬＡＮ ＡＰプロトコルスタック内のＰＨＹ層に送信される。
【０１８７】
前述のＭＰＤＵがＷＬＡＮ ＡＰにおいて第２のＷＬＡＮ ＡＰプロトコルスタック内のＰＨＹ層で受信された後、追加されたＩＰヘッダを有する第２のプロトコルデータユニットを取得するために、ＭＡＣヘッダおよびＬＬＣヘッダが、第２のＷＬＡＮ ＡＰプロトコルスタック内のＭＡＣ層およびＬＬＣ層を使用することによって連続して削除される。次いで、ＷＬＡＮ ＡＰは、第１のＷＬＡＮ ＡＰプロトコルスタック内のＬ２層およびＬ１層を使用することによって、基地局の第２の基地局プロトコルスタック内のＬ１層およびＬ２層に追加されたＩＰヘッダを有する第２のプロトコルデータユニットを送信する。次いで、基地局が、ＩＰヘッダ内の送信元ＩＰアドレスに従って、追加されたＩＰヘッダを有する第２のプロトコルデータユニットが、第２のＩＰアドレスから送信されたデータであるかどうか、すなわち、追加されたＩＰヘッダを有する第２のプロトコルデータユニットが、ＩＰトンネルを通して送信されたデータであるかどうかを決定する。追加されたＩＰヘッダを有する第２のプロトコルデータユニットが、ＩＰトンネルを通して送信されたデータであることを決定すると、基地局は、ＩＰヘッダを削除し、ロケーション情報に従ってＩＰヘッダから、第２のプロトコルデータユニットに対応する第２の無線ベアラ情報を取得して、ＩＰヘッダが削除された第２のプロトコルデータユニットを処理するように、第２の無線ベアラ情報に対応し第１の基地局プロトコルスタック内のＰＤＣＰ層内にあるＰＤＣＰエンティティに命令する。
【０１８８】
本発明のこの実施形態では、データ伝送方法は、
追加されたＩＰヘッダを有する第１のプロトコルデータユニットに対する完全性保護を基地局によって実行することをさらに含む。
【０１８９】
特定の実装プロセスでは、ＵＥは第２のＩＰアドレスを開示しているので、ＵＥ側は外部攻撃を受けやすい。たとえば、ハッカーは基地局である振りをして、ＩＰトンネルを通してＵＥに大量のデータを送り、これが深刻なワイヤレスセルラーネットワーク輻輳を引き起こす。したがって、基地局は、ＵＥ側が外部攻撃を受けないように、ＷＬＡＮ ＡＰを使用することによってオフロードされたデータに対して完全性保護を実行することが必要である。
【０１９０】
ダウンリンク送信プロセスでは、基地局は、完全性保護鍵を使用することによって、第１のプロトコルデータユニットに対して完全性保護を実行する。任意選択で、完全性保護鍵は、ワイヤレスセルラーネットワークのＲＲＣシグナリングに対して完全性保護を実行するために使用される鍵であってよく、ＷＬＡＮ ＡＰを使用することによってオフロードされた第１のプロトコルデータユニットに対して完全性保護を実行するために使用される。具体的には、第１のプロトコルデータユニットにＩＰヘッダを追加した後、基地局は、完全性保護鍵に応じて、追加されたＩＰヘッダを有する第１のプロトコルデータユニットに対する完全性のためのメッセージ認証コード（Ｍｅｓｓａｇｅ  Ａｕｔｈｅｎｔｉｃａｔｉｏｎ  Ｃｏｄｅ−Ｉｎｔｅｇｒｉｔｙ、略してＭＡＣ−Ｉ）を計算し、追加されたＩＰヘッダを有する第１のプロトコルデータユニットに続くロケーションにＭＡＣ−Ｉを付加して、第１のプロトコルデータユニットに対する完全性保護を実行する。次いで、基地局は、追加されたＩＰヘッダを有し完全性保護が実行された第１のプロトコルデータユニットを、ＷＬＡＮ ＡＰを使用することによってＵＥに送る。追加されたＩＰヘッダを有し完全性保護が実行された第１のプロトコルデータユニットを受信した後、ＵＥは、完全性検証を実行するためにチェック値を計算する。計算されたチェック値が、受信されたＭＡＣ−Ｉに対応する場合、完全性保護は成功であり、ＵＥは、追加されたＩＰヘッダを有する第１のプロトコルデータユニットは基地局によって送られたデータであると考え、ＩＰヘッダを削除し、次いで、処理するために第１のユーザ機器プロトコルスタック内のアグリゲーション層に第１のプロトコルデータユニットを配信する。あるいは、基地局は、別の完全性保護鍵を使用することによって、ＷＬＡＮ ＡＰを使用することによってオフロードされた第１のプロトコルデータユニットに対して完全性保護を実行し得、これは、ＵＥが完全性検証を実行可能であるように、完全性保護鍵を前もってＵＥに通知することを基地局に要求する。
【０１９１】
本発明のこの実施形態では、完全性保護は、データ伝送セキュリティを保証し、ユーザ機器が外部攻撃にさらされるのを防止するために実行される。
【０１９２】
本発明のこの実施形態では、データ伝送方法は、
追加されたＩＰヘッダを有する第２のプロトコルデータユニットに対して完全性保護をユーザ機器によって実行することをさらに含む。
【０１９３】
特定の実装プロセスでは、基地局は基地局の第１のＩＰアドレスを開示しているので、基地局側は外部攻撃を受けやすい。たとえば、ハッカーはＵＥである振りをして、ＩＰトンネルを通して基地局に大量のデータを送り、これが深刻なワイヤレスセルラーネットワーク輻輳を引き起こす。したがって、ＵＥは、ＷＬＡＮ ＡＰを使用することによってオフロードされたデータに対して完全性保護を実行することが必要である。
【０１９４】
アップリンク送信プロセスでは、ＵＥ局は、完全性保護鍵を使用することによって、第２のプロトコルデータユニットに対して完全性保護を実行する。任意選択で、完全性保護鍵は、ワイヤレスセルラーネットワークの無線リソース制御（ｒａｄｉｏ  ｒｅｓｏｕｒｃｅ  ｃｏｎｔｒｏｌ、略してＲＲＣ）シグナリングに対して完全性保護を実行するために使用される鍵であってよく、ＷＬＡＮ ＡＰを使用することによってオフロードされたアップリンクデータに対して完全性保護を実行するために使用される。
【０１９５】
具体的には、第２のプロトコルデータユニットにＩＰヘッダを追加した後、ＵＥは、完全性保護鍵に応じて、追加されたＩＰヘッダを有する第２のプロトコルデータユニットに対する完全性のためのメッセージ認証コード（Ｍｅｓｓａｇｅ  Ａｕｔｈｅｎｔｉｃａｔｉｏｎ  Ｃｏｄｅ−Ｉｎｔｅｇｒｉｔｙ、略してＭＡＣ−Ｉ）を計算し、追加されたＩＰヘッダを有する第２のプロトコルデータユニットに続くロケーションにＭＡＣ−Ｉを付加して、第２のプロトコルデータユニットに対する完全性保護を実行する。次いで、ＵＥは、追加されたＩＰヘッダを有し完全性保護が実行された第２のプロトコルデータユニットを、ＷＬＡＮ ＡＰを使用することによって基地局に送る。追加されたＩＰヘッダを有し完全性保護が実行された第２のプロトコルデータユニットを受信した後、基地局は、完全性検証を実行するためにチェック値を計算する。計算されたチェック値が、受信されたＭＡＣ−Ｉに対応する場合、完全性保護は成功であり、基地局は、追加されたＩＰヘッダを有する第２のプロトコルデータユニットはＵＥによって送られたデータであると考え、ＩＰヘッダを削除し、次いで、処理するために第１の基地局プロトコルスタック内のアグリゲーション層に第２のプロトコルデータユニットを配信する。あるいは、ＵＥは、別の完全性保護鍵を使用することによって、ＷＬＡＮ ＡＰを使用することによってオフロードされたアップリンクデータに対して完全性保護を実行してよい。実装様式は、基地局がＵＥに別の完全性保護鍵を前もって通知することである。
【０１９６】
本発明のこの実施形態では、完全性保護は、データ伝送セキュリティを保証し、基地局が外部攻撃にさらされるのを防止するために実行される。
【０１９７】
本発明のさまざまな実施形態において、前述のプロセスのシーケンス番号は実行シーケンスを意味しないことが理解されるべきである。プロセスの実行シーケンスは、プロセスの機能および内部ロジックに従って決定されるべきであり、本発明の実施形態の実装プロセスに対する制限と解釈されるべきではない。
【０１９８】
前述の内容は、図１から図７を参照しながら本発明の実施形態におけるオフローディング方法について詳細に説明したものであり、以下では、図８から図１１を参照しながら本発明の実施形態におけるユーザ機器および基地局について説明する。
【０１９９】
図８は、本発明の実施形態による基地局の概略構造図である。本発明のこの実施形態で提供される基地局８０は、送信ユニット８０１と、受信ユニット８０２と、処理ユニット８０３とを含む。
【０２００】
送信ユニット８０１は、要求情報、ワイヤレスローカルエリアネットワークアクセスポイントＷＬＡＮ ＡＰの識別子、および基地局の第１のＩＰアドレスをユーザ機器に送るように構成され、要求情報は、ＷＬＡＮ ＡＰを使用することによって基地局へのマルチストリームアグリゲーションデータ伝送を実行することをユーザ機器に要求するために使用される。
【０２０１】
受信ユニット８０２は、ユーザ機器によって送られた、ＷＬＡＮ ＡＰによってユーザ機器に割り当てられた第２のＩＰアドレスおよび確認情報を受信するように構成され、確認情報は、ユーザ機器がＷＬＡＮ ＡＰを使用することによって基地局へのマルチストリームアグリゲーションデータ伝送を実行することを確認するために使用される。
【０２０２】
処理ユニット８０３は、ＷＬＡＮ ＡＰを使用することによって、およびＩＰトンネルを通して、ユーザ機器へのマルチストリームアグリゲーションデータ伝送を実行するように構成され、ＩＰトンネルは、第１のＩＰアドレスおよび第２のＩＰアドレスを使用することによって決定される。
【０２０３】
任意選択で、基地局は、基地局プロトコルスタックユニット８０４をさらに含む。
【０２０４】
処理ユニット８０３は、基地局プロトコルスタックユニット８０４内のアグリゲーション層で生成された第１のプロトコルデータユニットにＩＰヘッダを追加するように特に構成され、送信ユニット８０１は、ＷＬＡＮ ＡＰを使用することによって、およびＩＰトンネルを通して、追加されたＩＰヘッダを有する第１のプロトコルデータユニットをユーザ機器に送るようにさらに構成される、または
受信ユニット８０２は、ＷＬＡＮ ＡＰを使用することによって、およびＩＰトンネルを通して、ユーザ機器によって送られた第２のプロトコルデータユニットを受信するようにさらに構成され、処理ユニット８０３は、第２のプロトコルデータユニットのＩＰヘッダを削除し、ＩＰヘッダが削除された第２のプロトコルデータユニットを処理するように基地局プロトコルスタックユニット８０４内のアグリゲーション層に命令するように特に構成され、ＩＰヘッダは、ユーザ機器プロトコルスタック内のアグリゲーション層で生成された第２のプロトコルデータユニットにユーザ機器によって追加される。
【０２０５】
任意選択で、送信ユニット８０１が、ＷＬＡＮ ＡＰを使用することによって、およびＩＰトンネルを通して、追加されたＩＰヘッダを有する第１のプロトコルデータユニットをユーザ機器に送る前に、処理ユニット８０３は、基地局プロトコルスタックユニット８０４内のアグリゲーション層で生成された第１のプロトコルデータユニットにＩＰヘッダを追加するように特に構成され、このＩＰヘッダは、第１のプロトコルデータユニットに対応しロケーション情報に従って処理ユニット８０３によって追加された無線ベアラ情報を含み、この無線ベアラ情報は、ＩＰヘッダが削除された第１のプロトコルデータユニットを処理するように、無線ベアラ情報とマッピング関係にあってユーザ機器プロトコルスタック内にあるアグリゲーション層エンティティに命令するためにユーザ機器によって使用される、または
受信ユニット８０２が、ＷＬＡＮ ＡＰを使用することによって、およびＩＰトンネルを通して、前記ユーザ機器によって送られた第２のプロトコルデータユニットを受信した後、処理ユニット８０３は、ロケーション情報に従って第２のプロトコルデータユニットのＩＰヘッダから、第２のプロトコルデータユニットに対応する無線ベアラ情報を取得し、第２のプロトコルデータユニットのＩＰヘッダを削除し、ＩＰヘッダが削除された第２のプロトコルデータユニットを処理するように、無線ベアラ情報とマッピング関係にあって基地局プロトコルスタックユニット８０４内にあるアグリゲーション層エンティティに命令するように特に構成される。
【０２０６】
任意選択で、ロケーション情報は、ＩＰヘッダ内の無線ベアラ情報のロケーションを示すために使用される。
【０２０７】
送信ユニット８０１はユーザ機器にロケーション情報を送るようにさらに構成される、または
処理ユニット８０３は、通信プロトコルに従ってロケーション情報についてユーザ機器と一致するようにさらに構成される。
【０２０８】
任意選択で、無線ベアラ情報は、無線ベアラ識別子または論理チャネル識別子を含む。
【０２０９】
任意選択で、ＩＰヘッダは、論理チャネル識別子に対応する論理チャネルの優先情報、または無線ベアラ識別子に対応する無線ベアラの優先情報をさらに含む。
【０２１０】
任意選択で、基地局プロトコルスタックユニット８０４内のアグリゲーション層は、
ワイヤレスセルラーネットワークを使用することによってユーザ機器に送信ユニットによって送信されるプロトコルデータユニットから第１のプロトコルデータユニットを分割する、または
ＩＰヘッダが削除された第２のプロトコルデータユニットと、ワイヤレスセルラーネットワークを使用することによって受信ユニットにユーザ機器によって送信されたプロトコルデータユニットとを収束させる
ために使用される。
【０２１１】
任意選択で、アグリゲーション層は、
パケットデータコンバージェンスプロトコルＰＤＣＰ層、メディアアクセス制御ＭＡＣ層、無線リンク制御ＲＬＣ層、およびＩＰ層
のうちのいずれか１つを含む。
【０２１２】
任意選択で、第１のプロトコルデータユニットのＩＰヘッダは、送信元ＩＰアドレスと、宛先ＩＰアドレスとをさらに含み、送信元ＩＰアドレスは第１のＩＰアドレスであり、宛先ＩＰアドレスは第２のＩＰアドレスである、または
第２のプロトコルデータユニットのＩＰヘッダは、送信元ＩＰアドレスと、宛先ＩＰアドレスとをさらに含み、送信元ＩＰアドレスが第２のＩＰアドレスであり、宛先ＩＰアドレスが第１のＩＰアドレスである。
【０２１３】
任意選択で、処理ユニット８０３は、追加されたＩＰヘッダを有する第１のプロトコルデータユニットに対して完全性保護を実行するようにさらに構成される。
【０２１４】
本発明のこの実施形態で提供される基地局は、前述の方法実施形態で技術的解決策を実行することができ、基地局の実装原理は前述の方法実施形態の実装原理に類似しており、本明細書では、この実施形態で説明されない。
【０２１５】
本発明のこの実施形態は、基地局を提供する。この基地局は、コンバージェンスポイントおよび分割ポイントとして使用される。基地局は、ワイヤレスローカルエリアネットワーク内のネットワークリンクの品質変化を受けやすく、これは、ＥＰＣがコンバージェンスポイントおよび分割ポイントとして使用されるとき、サービス継続性を保証し、ユーザ体験を改善し、ワイヤレスローカルエリアネットワーク内のネットワークリンクの品質変化に対するＥＰＣの非感受性によって引き起こされるサービス不継続を回避する。
【０２１６】
図９は、本発明の実施形態によるユーザ機器の概略構造図である。図９に示されるように、本発明のこの実施形態で提供されるユーザ機器９０は、受信ユニット９０１と、送信ユニット９０２と、処理ユニット９０３とを含む。
【０２１７】
受信ユニット９０１は、基地局によって送られた、要求情報、ワイヤレスローカルエリアネットワークアクセスポイントＷＬＡＮ ＡＰの識別子、および基地局の第１のＩＰアドレスをユーザ機器によって受信するように構成され、要求情報は、ＷＬＡＮ ＡＰを使用することによって基地局へのマルチストリームアグリゲーションデータ伝送を実行することをユーザ機器に要求するために使用される。
【０２１８】
送信ユニット９０２は、ＷＬＡＮ ＡＰによってユーザ機器に割り当てられた第２のＩＰアドレスおよび確認情報を基地局に送るように構成され、確認情報は、ユーザ機器がＷＬＡＮ ＡＰを使用することによって基地局へのマルチストリームアグリゲーションデータ伝送を実行することを確認するために使用される。
【０２１９】
処理ユニット９０３は、ＷＬＡＮ ＡＰを使用することによって、およびＩＰトンネルを通して、基地局へのマルチストリームアグリゲーションデータ伝送を実行するように構成され、このＩＰトンネルは、第１のＩＰアドレスおよび第２のＩＰアドレスを使用することによって決定される。
【０２２０】
任意選択で、ユーザ機器は、ユーザ機器プロトコルスタックユニット９０４をさらに含む。
【０２２１】
受信ユニット９０１は、ＷＬＡＮ ＡＰを使用することによって、およびＩＰトンネルを通して、基地局によって送られた第１のプロトコルデータユニットを受信するようにさらに構成され、処理ユニット９０３は、第１のプロトコルデータユニットのＩＰヘッダを削除し、ＩＰヘッダが削除された第１のプロトコルデータユニットを処理するようにユーザ機器プロトコルスタックユニット９０４内のアグリゲーション層に命令するように特に構成され、ＩＰヘッダは、基地局プロトコルスタック内のアグリゲーション層で生成された第１のプロトコルデータユニットに基地局によって追加される、または
処理ユニット９０３は、ユーザ機器プロトコルスタックユニット９０４内のアグリゲーション層で生成された第２のプロトコルデータユニットにＩＰヘッダを追加するように特に構成され、送信ユニット９０２は、ＷＬＡＮ ＡＰを使用することによって、およびＩＰトンネルを通して、追加されたＩＰヘッダを有する第２のプロトコルデータユニットを基地局に送るようにさらに構成される。
【０２２２】
任意選択で、受信ユニット９０１が、ＷＬＡＮ ＡＰを使用することによって、およびＩＰトンネルを通して、基地局によって送られた第１のプロトコルデータユニットを受信した後、処理ユニット９０３は、
ロケーション情報に従って第１のプロトコルデータユニットのＩＰヘッダから、第１のプロトコルデータユニットに対応する無線ベアラ情報を取得し、第１のプロトコルデータユニットのＩＰヘッダを削除し、ＩＰヘッダが削除された第１のプロトコルデータユニットを処理するように、無線ベアラ情報とマッピング関係にあってユーザ機器プロトコルスタックユニット内にあるアグリゲーション層エンティティに命令するように特に構成される、または
送信ユニット９０２が、ＷＬＡＮ ＡＰを使用することによって、およびＩＰトンネルを通して、追加されたＩＰヘッダを有する第２のプロトコルデータユニットを基地局に送る前、処理ユニット９０３は、
ユーザ機器プロトコルスタックユニット９０４内のアグリゲーション層で生成された第２のプロトコルデータユニットにＩＰヘッダを追加するように特に構成され、ＩＰヘッダは、第２のプロトコルデータユニットに対応しロケーション情報に従ってユーザ機器によって追加された無線ベアラ情報を含み、この無線ベアラ情報は、ＩＰヘッダが削除された第２のプロトコルデータユニットを処理するように、無線ベアラ情報とマッピング関係にあって基地局プロトコルスタック内にあるアグリゲーション層エンティティに命令するために基地局によって使用される。
【０２２３】
任意選択で、ロケーション情報は、ＩＰヘッダ内の無線ベアラ情報のロケーションを示すために使用される。
【０２２４】
受信ユニット９０１は、基地局によって送られたロケーション情報を受信するようにさらに構成される、または
処理ユニット９０３は、通信プロトコルに従ってロケーション情報について基地局と一致するようにさらに構成される。
【０２２５】
任意選択で、無線ベアラ情報は無線ベアラ識別子または論理チャネル識別子を含む。
【０２２６】
任意選択で、ＩＰヘッダは、論理チャネル識別子に対応する論理チャネルの優先情報、または無線ベアラ識別子に対応する無線ベアラの優先情報をさらに含む。
【０２２７】
任意選択で、ユーザ機器プロトコルスタックユニット９０４内のアグリゲーション層は、
ワイヤレスセルラーネットワークを使用することによって基地局に送信ユニットによって送信されるプロトコルデータユニットから第２のプロトコルデータユニットを分割する、または
ＩＰヘッダが削除された第１のプロトコルデータユニットと、ワイヤレスセルラーネットワークを使用することによって受信ユニットに基地局によって送信されたプロトコルデータユニットとを収束させる
ために使用される。
【０２２８】
任意選択で、アグリゲーション層は、
パケットデータコンバージェンスプロトコルＰＤＣＰ層、メディアアクセス制御ＭＡＣ層、無線リンク制御ＲＬＣ層、およびＩＰ層
のうちのいずれか１つを含む。
【０２２９】
任意選択で、第１のプロトコルデータユニットのＩＰヘッダが、送信元ＩＰアドレスと、宛先ＩＰアドレスとをさらに含み、送信元ＩＰアドレスは第１のＩＰアドレスであり、宛先ＩＰアドレスは第２のＩＰアドレスである、または
第２のプロトコルデータユニットのＩＰヘッダが、送信元ＩＰアドレスと、宛先ＩＰアドレスとをさらに含み、送信元ＩＰアドレスは第２のＩＰアドレスであり、宛先ＩＰアドレスは第１のＩＰアドレスである。
【０２３０】
任意選択で、処理ユニット９０３は、追加されたＩＰヘッダを有する第２のプロトコルデータユニットに対して完全性保護を実行するようにさらに構成される。
【０２３１】
本発明のこの実施形態で提供されるユーザ機器は、前述の方法実施形態で技術的解決策を実行することができ、ユーザ機器の実装原理は前述の方法実施形態の実装原理に類似しており、本明細書では、この実施形態で説明されない。
【０２３２】
本発明のこの実施形態は、ユーザ機器を提供する。基地局は、ユーザ機器と基地局との間でオフローディングを実施するために、コンバージェンスポイントおよび分割ポイントとして使用される。基地局は、ワイヤレスローカルエリアネットワーク内のネットワークリンクの品質変化を受けやすく、これは、ＥＰＣがコンバージェンスポイントおよび分割ポイントとして使用されるとき、サービス継続性を保証し、ユーザ体験を改善し、ワイヤレスローカルエリアネットワーク内のネットワークリンクの品質変化に対するＥＰＣの非感受性によって引き起こされるサービス不継続を回避する。
【０２３３】
図１０は、本発明の別の実施形態による基地局の概略構造図である。図１０に示されるように、この実施形態で提供される基地局１００は、ネットワークインタフェース１００１と、メモリ１００２と、プロセッサ１００３と、バス１００４とを含み、ネットワークインタフェース１００１、メモリ１００２、およびプロセッサ１００３はバス１００４に別個に接続される。
【０２３４】
プロセッサ１００３は、メモリ１００２内に記憶され
ネットワークインタフェース１００１を使用することによって、要求情報、ワイヤレスローカルエリアネットワークアクセスポイントＷＬＡＮ ＡＰの識別子、および基地局の第１のＩＰアドレスをユーザ機器に送り、要求情報は、ＷＬＡＮ ＡＰを使用することによって基地局へのマルチストリームアグリゲーションデータ伝送を実行することをユーザ機器に要求するために使用され、
ユーザ機器によって送られた、ＷＬＡＮ ＡＰによってユーザ機器に割り当てられた第２のＩＰアドレスおよび確認情報を、ネットワークインタフェース１００１を使用することによって受信し、確認情報は、ユーザ機器がＷＬＡＮ ＡＰを使用することによって基地局へのマルチストリームアグリゲーションデータ伝送を実行することを確認するために使用され、
ＷＬＡＮ ＡＰを使用することによって、およびＩＰトンネルを通して、ユーザ機器へのマルチストリームアグリゲーションデータ伝送をプロセッサ１００３によって実行し、ＩＰトンネルは、第１のＩＰアドレスおよび第２のＩＰアドレスを使用することによって決定される
ように構成されたプログラム１００５を、バス１００４を使用することによって呼び出す。
【０２３５】
任意選択で、プロセッサ１００３が、ＷＬＡＮ ＡＰを使用することによって、およびＩＰトンネルを通して、ユーザ機器へのマルチストリームアグリゲーションデータ伝送を実行するとき、プロセッサ１００３は、
基地局プロトコルスタックのアグリゲーション層機能に従って生成された第１のプロトコルデータユニットにＩＰヘッダを追加し、ＷＬＡＮ ＡＰを使用することによって、ＩＰトンネルを通して、およびネットワークインタフェースを使用することによって、追加されたＩＰヘッダを有する第１のプロトコルデータユニットをユーザ機器に送る、または
ＷＬＡＮ ＡＰを使用することによって、およびＩＰトンネルを通して、ユーザ機器によって送られた第２のプロトコルデータユニットを、ネットワークインタフェース１００１を使用することによって受信し、第２のプロトコルデータユニットのＩＰヘッダを削除し、ＩＰヘッダが削除された第２のプロトコルデータユニットを、基地局プロトコルスタックのアグリゲーション層機能に従って処理し、ＩＰヘッダは、ユーザ機器プロトコルスタックのアグリゲーション層機能に従って生成された第２のプロトコルデータユニットにユーザ機器によって追加される
ように特に構成される。
【０２３６】
任意選択で、プロセッサ１００３が、ＷＬＡＮ ＡＰを使用することによって、およびＩＰトンネルを通して、ユーザ機器へのマルチストリームアグリゲーションデータ伝送を実行するとき、プロセッサ１００３は、
基地局プロトコルスタックのアグリゲーション層機能に従って生成された第１のプロトコルデータユニットにＩＰヘッダを追加し、ＷＬＡＮ ＡＰを使用することによって、ＩＰトンネルを通して、およびネットワークインタフェース１００１を使用することによって、追加されたＩＰヘッダを有する第１のプロトコルデータユニットをユーザ機器に送り、ＩＰヘッダは、第１のプロトコルデータユニットに対応しロケーション情報に従ってプロセッサ１００３によって追加された無線ベアラ情報を含み、この無線ベアラ情報は、ＩＰヘッダが削除された第１のプロトコルデータユニットを、無線ベアラ情報とマッピング関係にあってユーザ機器プロトコルスタック内にあるアグリゲーション層エンティティのアグリゲーション層機能に従って処理するために、ユーザ機器によって使用される、または
ＷＬＡＮ ＡＰを使用することによって、およびＩＰトンネルを通して、ユーザ機器によって送られた第２のプロトコルデータユニットを、ネットワークインタフェース１００１を使用することによって受信し、ロケーション情報に従って第２のプロトコルデータユニットのＩＰヘッダから、第２のプロトコルデータユニットに対応する無線ベアラ情報を取得し、第２のプロトコルデータユニットのＩＰヘッダを削除し、ＩＰヘッダが削除された第２のプロトコルデータユニットを、無線ベアラ情報とマッピング関係にあって基地局プロトコルスタック内にあるアグリゲーション層エンティティのアグリゲーション層機能に従って処理する
ように特に構成される。
【０２３７】
任意選択で、ロケーション情報は、ＩＰヘッダ内の無線ベアラ情報のロケーションを示すために使用される。
【０２３８】
プロセッサ１００３は、ネットワークインタフェースを使用することによってユーザ機器にロケーション情報を送る、または通信プロトコルに従ってロケーション情報についてユーザ機器と一致するようにさらに構成される。
【０２３９】
任意選択で、無線ベアラ情報は、無線ベアラ識別子または論理チャネル識別子を含む。
【０２４０】
任意選択で、ＩＰヘッダは、前理チャネル識別子に対応する論理チャネルの優先情報、または無線ベアラ識別子に対応する無線ベアラの優先情報をさらに含む。
【０２４１】
任意選択で、プロセッサ１００３は、基地局プロトコルスタックのアグリゲーション層機能に従って、
ワイヤレスセルラーネットワークを使用することによってユーザ機器に送信ユニットによって送信されるプロトコルデータユニットから第１のプロトコルデータユニットを分割する、または
ＩＰヘッダが削除された第２のプロトコルデータユニットと、ワイヤレスセルラーネットワークを使用することによって受信ユニットにユーザ機器によって送信されたプロトコルデータユニットとを収束させる
ようにさらに構成される。
【０２４２】
任意選択で、アグリゲーション層は、
パケットデータコンバージェンスプロトコルＰＤＣＰ層、メディアアクセス制御ＭＡＣ層、無線リンク制御ＲＬＣ層、およびＩＰ層
のうちのいずれか１つを備える。
【０２４３】
任意選択で、第１のプロトコルデータユニットのＩＰヘッダは、送信元ＩＰアドレスと、宛先ＩＰアドレスとをさらに含み、送信元ＩＰアドレスは第１のＩＰアドレスであり、宛先ＩＰアドレスは第２のＩＰアドレスである、または
第２のプロトコルデータユニットのＩＰヘッダは、送信元ＩＰアドレスと、宛先ＩＰアドレスとをさらに含み、送信元ＩＰアドレスは第２のＩＰアドレスであり、宛先ＩＰアドレスは第１のＩＰアドレスである。
【０２４４】
任意選択で、プロセッサ１００３は、追加されたＩＰヘッダを有する第１のプロトコルデータユニットに対して完全性保護を実行するようにさらに構成される。
【０２４５】
前述の実施形態では、基地局側では、ＩＰヘッダを追加または削除することは特に、基地局のプロセッサまたは基地局プロトコルスタックによって実行され得る。
【０２４６】
本発明のこの実施形態で提供される基地局は、前述の方法実施形態で技術的解決策を実行することができ、基地局の実装原理は前述の方法実施形態の実装原理に類似しており、本明細書では、この実施形態で説明されない。
【０２４７】
本発明のこの実施形態は、基地局を提供する。基地局は、コンバージェンスポイントおよび分割ポイントとして使用される。基地局は、ワイヤレスローカルエリアネットワーク内のネットワークリンクの品質変化を受けやすく、これは、ＥＰＣがコンバージェンスポイントおよび分割ポイントとして使用されるとき、サービス継続性を保証し、ユーザ体験を改善し、ワイヤレスローカルエリアネットワーク内のネットワークリンクの品質変化に対するＥＰＣの非感受性によって引き起こされるサービス不継続を回避する。
【０２４８】
図１１は、本発明の別の実施形態によるユーザ機器の概略構造図である。この実施形態で提供されるユーザ機器１１０は、ネットワークインタフェース１１０１と、メモリ１１０２と、プロセッサ１１０３と、バス１１０４とを含み、ネットワークインタフェース１１０１、メモリ１１０２、およびプロセッサ１１０３はバス１１０４に別個に接続される。
【０２４９】
プロセッサ１１０３は、メモリ１１０２内に記憶され
基地局によって送られた、要求情報、ワイヤレスローカルエリアネットワークアクセスポイントＷＬＡＮ ＡＰの識別子、および基地局の第１のＩＰアドレスを、ネットワークインタフェース１１０１を使用することによって受信し、要求情報は、ＷＬＡＮ ＡＰを使用することによって基地局へのマルチストリームアグリゲーションデータ伝送を実行することをユーザ機器に要求するために使用され、
ＷＬＡＮ ＡＰによってユーザ機器に割り当てられた第２のＩＰアドレスおよび確認情報を、ネットワークインタフェース１１０１を使用することによって基地局に送り、確認情報は、ユーザ機器がＷＬＡＮ ＡＰを使用することによって基地局へのマルチストリームアグリゲーションデータ伝送を実行することを確認するために使用され、
ＷＬＡＮ ＡＰを使用することによって、およびＩＰトンネルを通して、基地局へのマルチストリームアグリゲーションデータ伝送をプロセッサ１１０３によって実行し、ＩＰトンネルは、第１のＩＰアドレスおよび第２のＩＰアドレスを使用することによって決定される
ように構成されたプログラム１１０５を、バス１１０４を使用することによって呼び出す。
【０２５０】
任意選択で、プロセッサ１１０３がＷＬＡＮ ＡＰを使用することによって、およびＩＰトンネルを通して、基地局へのマルチストリームアグリゲーションデータ伝送を実行するとき、プロセッサ１１０３は、
ＷＬＡＮ ＡＰを使用することによって、およびＩＰトンネルを通して、基地局によって送られた第１のプロトコルデータユニットを、ネットワークインタフェース１１０１を使用することによって受信し、第１のプロトコルデータユニットのＩＰヘッダを削除し、ＩＰヘッダが削除された第１のプロトコルデータユニットを、ユーザ機器プロトコルスタックのアグリゲーション層機能に従って処理し、ＩＰヘッダは、基地局プロトコルスタックのアグリゲーション層機能に従って生成された第１のプロトコルデータユニットに基地局によって追加される、または
ユーザ機器プロトコルスタックのアグリゲーション層機能に従って生成された第２のプロトコルデータユニットにＩＰヘッダを追加し、ＷＬＡＮ ＡＰを使用することによって、ＩＰトンネルを通して、およびネットワークインタフェースを使用することによって、追加されたＩＰヘッダを有する記第２のプロトコルデータユニットを基地局に送る
ように特に構成される。
【０２５１】
任意選択で、プロセッサ１１０３がＷＬＡＮ ＡＰを使用することによって、およびＩＰトンネルを通して、基地局へのマルチストリームアグリゲーションデータ伝送を実行するとき、プロセッサ１１０３は、
ＷＬＡＮ ＡＰを使用することによって、およびＩＰトンネルを通して、基地局によって送られた第１のプロトコルデータユニットを、ネットワークインタフェース１１０１を使用することによって受信し、ロケーション情報に従って第１のプロトコルデータユニットのＩＰヘッダから、第１のプロトコルデータユニットに対応する無線ベアラ情報を取得し、第１のプロトコルデータユニットのＩＰヘッダを削除し、ＩＰヘッダが削除された第１のプロトコルデータユニットを、無線ベアラ情報とマッピング関係にあってユーザ機器プロトコルスタック内にあるアグリゲーション層エンティティのアグリゲーション層機能に従って処理する、または
ユーザ機器プロトコルスタックのアグリゲーション層機能に従って生成された第２のプロトコルデータユニットにＩＰヘッダをプロセッサ１１０３によって追加し、ＷＬＡＮ ＡＰを使用することによって、ＩＰトンネルを通して、およびネットワークインタフェース１１０１を使用することによって、追加されたＩＰヘッダを有する第２のプロトコルデータユニットを基地局に送り、ＩＰヘッダは、第２のプロトコルデータユニットに対応しロケーション情報に従ってプロセッサによって追加される無線ベアラ情報を含み、この無線ベアラ情報は、ＩＰヘッダが削除された第２のプロトコルデータユニットを、無線ベアラ情報とマッピング関係にあって基地局プロトコルスタック内にあるアグリゲーション層エンティティのアグリゲーション層機能に従って処理するために、基地局によって使用される
ように特に構成される。
【０２５２】
任意選択で、ロケーション情報は、ＩＰヘッダ内の無線ベアラ情報のロケーションを示すために使用される。
【０２５３】
プロセッサ１１０３は、基地局によって送られたロケーション情報を、ネットワークインタフェースを使用することによって受信する、または通信プロトコルに従ってロケーション情報についてユーザ機器と一致するようにさらに構成される。
【０２５４】
任意選択で、無線ベアラ情報は、無線ベアラ識別子または論理チャネル識別子を含む。
【０２５５】
任意選択で、ＩＰヘッダは、論理チャネル識別子に対応する論理チャネルの優先情報、または無線ベアラ識別子に対応する無線ベアラの優先情報をさらに含む。
【０２５６】
任意選択で、プロセッサ１１０３は、ユーザ機器プロトコルスタックのアグリゲーション層機能に従って、
ワイヤレスセルラーネットワークを使用することによって基地局に送信ユニットによって送信されるプロトコルデータユニットから第２のプロトコルデータユニットを分割する、または
ＩＰヘッダが削除された第１のプロトコルデータユニットと、ワイヤレスセルラーネットワークを使用することによって受信ユニットに基地局によって送信されたプロトコルデータユニットとを収束させる
ようにさらに構成される。
【０２５７】
任意選択で、アグリゲーション層が、
パケットデータコンバージェンスプロトコルＰＤＣＰ層、メディアアクセス制御ＭＡＣ層、無線リンク制御ＲＬＣ層、およびＩＰ層
のうちのいずれか１つを含む。
【０２５８】
任意選択で、第１のプロトコルデータユニットのＩＰヘッダは、送信元ＩＰアドレスと、宛先ＩＰアドレスとをさらに含み、送信元ＩＰアドレスは第１のＩＰアドレスであり、宛先ＩＰアドレスは第２のＩＰアドレスである、または
第２のプロトコルデータユニットのＩＰヘッダは、送信元ＩＰアドレスと、宛先ＩＰアドレスとをさらに含み、送信元ＩＰアドレスは第２のＩＰアドレスであり、宛先ＩＰアドレスは第１のＩＰアドレスである。
【０２５９】
任意選択で、プロセッサ１１０３は、追加されたＩＰヘッダを有する第２のプロトコルデータユニットに対して完全性保護を実行するようにさらに構成される。
【０２６０】
ユーザ機器側では、ＩＰヘッダを追加または削除することは特に、ユーザ機器のプロセッサまたはユーザ機器プロトコルスタックによって実行され得る。
【０２６１】
本発明のこの実施形態で提供されるユーザ機器は、前述の方法実施形態で技術的解決策を実行することができ、ユーザ機器の実装原理は前述の方法実施形態の実装原理に類似しており、本明細書では、この実施形態で説明されない。
【０２６２】
本発明のこの実施形態は、ユーザ機器を提供する。基地局は、ユーザ機器と基地局との間でオフローディングを実施するために、コンバージェンスポイントおよび分割ポイントとして使用される。基地局は、ワイヤレスローカルエリアネットワーク内のネットワークリンクの品質変化を受けやすく、これは、ＥＰＣがコンバージェンスポイントおよび分割ポイントとして使用されるとき、サービス継続性を保証し、ユーザ体験を改善し、ワイヤレスローカルエリアネットワーク内のネットワークリンクの品質変化に対するＥＰＣの非感受性によって引き起こされるサービス不継続を回避する。
【０２６３】
本明細書における「および／または」という用語は、関連付けられた物体について説明するための関連付け関係のみについて説明し、３つの関係が存在し得ることを表すことが理解されるべきである。たとえば、Ａおよび／またはＢは、Ａのみが存在する、ＡとＢの両方が存在する、およびＢのみが存在する、の３つのケースを表し得る。さらに、本明細書における「／」という文字は、一般に、関連付けられた物体間の「または」関係を示す。
【０２６４】
本発明のさまざまな実施形態において、前述のプロセスのシーケンス番号は実行シーケンスを意味しないことが理解されるべきである。プロセスの実行シーケンスは、プロセスの機能および内部ロジックに従って決定されるべきであり、本発明の実施形態の実装プロセスに対する制限と解釈されるべきではない。
【０２６５】
当業者は、本明細書に開示されている実施形態で説明された例と組み合わせると、ユニットおよびアルゴリズムステップは、電子ハードウェアまたはコンピュータソフトウェアと電子ハードウェアの組み合わせによって実施され得ることを認識し得る。機能がハードウェアによって実行されるかまたはソフトウェアによって実行されるかは、技術的解決策の特定の適用例および設計制約条件に依存する。当業者は、異なる方法を使用して、各特定の適用例のための説明された機能を実施してよいが、実装形態が本発明の範囲を超えると考えるべきではない。
【０２６６】
好都合で簡単な説明の目的で、前述のシステム、装置、およびユニットの詳述された作業プロセスに関して、前述の方法実施形態における対応するプロセスに対する参照が行われてよく、本明細書では、詳細は再度説明されないことは、当業者によって明確に理解され得る。
【０２６７】
本出願で提供されるいくつかの実施形態では、開示されるシステム、装置、および方法は他の様式で実施されてよいことが理解されるべきである。たとえば、説明される装置実施形態は例示にすぎない。たとえば、ユニットの分割は論理的な機能分割にすぎず、実際の実装形態では他の分割であってもよい。たとえば、複数のユニットまたは構成要素が組み合わせされたりもしくは統合されたりして別のシステムを作り上げてもよいし、またはいくつかの特徴が無視されてもよいし、もしくは実行されなくてもよい。さらに、表示または検討された相互結合または直接結合または直接通信接続は、何らかのインタフェースを使用することによって実施されてよい。装置またはユニット間の間接結合または間接通信接続は、電子的な形、機械的な形、または他の形で実施されてよい。
【０２６８】
別個の部分として説明されたユニットは物理的に別個であってもなくてもよく、ユニットとして表示された部分は物理的ユニットであってもなくてもよいし、１つの位置に配置されてもよいし、または複数のネットワークユニット上に分散されてもよい。実施形態の解決策の目的を達成するために、実際のニーズに従ってユニットのうちのいくつかまたはすべてが選択されてもよい。
【０２６９】
さらに、本発明の実施形態における機能ユニットが１つの処理ユニットへと統合されてもよいし、またはユニットの各々が物理的に単独で存在してよいし、または２つ以上のユニットが１つのユニットへと統合される。
【０２７０】
機能がソフトウェア機能ユニットの形で実施され、独立した製品として販売または使用されるとき、機能は、コンピュータ可読記憶媒体に記憶され得る。そのような理解に基づいて、本発明の技術的解決策は本質的に、または従来技術に寄与する部分、または技術的解決策の一部は、ソフトウェア製品の形で実施されてよい。ソフトウェア製品は記憶媒体に記憶され、本発明の実施形態で説明される方法のステップのすべてまたはいくつかを実行するようにコンピュータデバイス（パーソナルコンピュータ、サーバ、またはネットワークデバイスであってよい）に命令するためのいくつかの命令を含む。前述の記憶媒体は、ＵＳＢフラッシュドライブ、リムーバブルハードディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどの、プログラムコードを記憶可能な任意の媒体を含む。
【０２７１】
最後に、前述の実施形態は、本発明の技術的解決策について説明することが意図されるにすぎず、本発明を限定することを意図するものではないことが留意されるべきである。本発明は、前述の実施形態を参照して詳細に説明されているが、当業者は、彼らが、本発明の実施形態の技術的解決策の範囲から逸脱することなく、依然として前述の実施形態で説明された技術的解決策に修正を加えてもよいし、いくつかまたはそのすべての技術的特徴に対する等価な置き換えを行ってもよいことを理解するべきである。
【図１】
0006329277.tif 000002
【図２】
0006329277.tif 000003
【図３】
0006329277.tif 000004
【図４】
0006329277.tif 000005
【図５】
0006329277.tif 000006
【図６】
0006329277.tif 000007
【図７】
0006329277.tif 000008
【図８】
0006329277.tif 000009
【図９】
0006329277.tif 000010
【図１０】
0006329277.tif 000011
【図１１】
0006329277.tif 000012